(57)【要約】【課題】発送者から受領者への移送物の配送を支援する配送システムに係り、発送者と受領者の氏名と住所等の所在情報を秘密にした上での安全な配送を実現することを課題とする。【解決手段】受領者端末３と発送者端末４から、それぞれ氏名と住所と匿名コードを秘匿所在管理サーバ１に登録する。発送者端末３は、受領者端末１から得た受領者匿名コードを送り状（伝票）の配達先に、自身の発送者匿名コードを発送元にバーコードで印字する。配送経路内端末４は、正常時には配達先の氏名と住所のみを印字し、配達先不明の場合には、発送元の氏名と住所を印字する。更に、発送に対する認証も行う。【選択図】図３０
2010140217.tif 000002
【特許請求の範囲】
【請求項１】
配送物に付されたコード記録体を読み取るコード記録体読取装置と印字装置を備えた配送経路内端末と、当該配送経路内端末と接続可能な秘匿所在管理サーバとからなる匿名配送システムであって、
前記配送経路内端末は、
配送物に付された受領者の匿名コード記録体を読み取り、受領者の匿名コードを特定する匿名コード記録体読取部と、
前記受領者の匿名コードを含む所在照会要求を前記秘匿所在管理サーバに送信し、前記秘匿所在管理サーバから受領者の氏名と住所を受信する秘匿所在照会部と、
配送物の表書の配達先欄に表示するための受領者の氏名と住所を印字する表書追記部を有し、
前記秘匿所在管理サーバは、
秘匿者の匿名コードと、秘匿者の氏名と住所を対応付けて記憶する秘匿所在管理テーブルと、
匿名コードを含む所在照会要求を受信し、受信した匿名コードに対応する秘匿者の氏名と住所を前記秘匿所在管理テーブルから検索し、検索した秘匿者の氏名と住所を返信する秘匿所在回答部を有することを特徴とする匿名配送システム。
【請求項２】
前記秘匿所在回答部は、前記秘匿所在管理テーブルに、前記受信した匿名コードに対応する秘匿者の氏名と住所が無い場合に、匿名コード無の回答を返信し、
前記匿名コード記録体読取部は、更に、配送物に付された発送者の匿名コード記録体を読み取り、発送者の匿名コードを特定し、
前記秘匿所在照会部は、前記受領者の氏名と住所又は匿名コード無の回答を受信し、更に、前記発送者の匿名コードを含む所在照会要求を前記秘匿所在管理サーバに送信し、前記秘匿所在管理サーバから発送者の氏名と住所又は匿名コード無の回答を受信し、
前記表書追記部は、前記受領者の氏名と住所及び前記発送者の氏名と住所を受信した場合には、配送物の表書の配達先欄に表示するための受領者の氏名と住所を印字し、前記受領者の匿名コード無の回答及び前記発送者の氏名と住所を受信した場合には、配送物の表書の配達先欄に表示するための配達先不明の旨と、配送物の表書の発送元欄に表示するための発送者の氏名と住所を印字することを特徴とする請求項１記載の匿名配送システム。
【請求項３】
配送物に付されたコード記録体を読み取るコード記録体読取装置を備えた配送受付端末と、当該配送受付端末と接続可能な秘匿所在管理サーバとからなる匿名配送システムであって、
前記配送受付端末は、
配送物に付された受領者の匿名コード記録体を読み取り、受領者の匿名コードを特定する匿名コード記録体読取部と、
前記受領者の匿名コードを含む所在照会要求を前記秘匿所在管理サーバに送信し、前記秘匿所在管理サーバから受領者の氏名と住所の有無を示す匿名コード有／匿名コード無の回答を受信する秘匿所在照会部と、
受領者の所在照会要求の回答として匿名コード有を受信した場合に、受付可能の旨を出力し、前記回答として匿名コード無を受信した場合に、受付不能の旨を出力する受付可否判定部を有し、
前記秘匿所在管理サーバは、
秘匿者の匿名コードと、秘匿者の氏名と住所を対応付けて記憶する秘匿所在管理テーブルと、
匿名コードを含む所在照会要求を受信し、受信した匿名コードを前記秘匿所在管理テーブルから検索し、当該匿名コードに対応する秘匿者の氏名と住所が有る場合には匿名コード有の回答を返信し、当該匿名コードに対応する秘匿者の氏名と住所が無い場合には匿名コード無の回答を返信する秘匿所在回答部を有することを特徴とする匿名配送システム。
【請求項４】
前記匿名コード記録体読取部は、更に、配送物に付された発送者の匿名コード記録体を読み取り、発送者の匿名コードを特定し、
前記秘匿所在照会部は、更に、前記発送者の匿名コードを含む所在照会要求を前記秘匿所在管理サーバに送信し、前記秘匿所在管理サーバから発送者の氏名と住所の有無を示す匿名コード有／匿名コード無の回答を受信し、
前記受付可否判定部は、受領者の所在照会要求の回答として匿名コード有を受信し、かつ発送者の所在照会要求の回答として匿名コード有を受信した場合に、受付可能の旨を出力し、受領者の所在照会要求の回答として匿名コード無を受信した場合と、発送者の所在照会要求の回答として匿名コード無を受信した場合に、受付不能の旨を出力することを特徴とする請求項３記載の匿名配送システム。
【請求項５】
前記秘匿所在管理サーバは、更に、
受領者の匿名コードと、発送者の匿名コードと、発送の適正を認証するための発送認証コードを対応付けて記憶する発送認証テーブルと、
受領者の匿名コードと発送者の匿名コードと発送認証コードを含む発送認証要求を受信し、受信した受領者の匿名コードと発送者の匿名コードと発送認証コードを対応付けた組を発送認証テーブルで検索し、当該対応付けた組が有る場合に、認証成功の回答を返信し、当該対応付けた組が無い場合に、認証失敗の回答を返信する発送認証回答部を有し、
前記匿名コード記録体読取部は、更に、配送物に付された発送認証コード記録体を読み取り、発送認証コードを特定し、
前記配送受付端末は、更に、
受領者の匿名コードと発送者の匿名コードと発送認証コードを含む発送認証要求を、秘匿所在管理サーバに送信し、発送認証の回答を受信する発送認証要求部を有し、
前記受付可否判定部は、発送認証の回答として認証失敗した場合に、受付不能の旨を出力することを特徴とする請求項４記載の匿名配送システム。
【請求項６】
前記秘匿所在管理サーバは、更に、
有効期限と、発送者の匿名コードと、発送の適正を認証するための発送認証コードを対応付けて記憶する発送認証テーブルと、
発送者の匿名コードと発送認証コードを含む発送認証要求を受信し、受信した発送者の匿名コードを発送認証テーブルで検索し、当該発送者の匿名コードに対応する有効期限外である場合に、認証失敗の回答を返信する発送認証回答部を有し、
前記匿名コード記録体読取部は、更に、配送物に付された発送認証コード記録体を読み取り、発送認証コードを特定し、
前記配送受付端末は、更に、
発送者の匿名コードと発送認証コードを含む発送認証要求を、秘匿所在管理サーバに送信し、発送認証の回答を受信する発送認証要求部を有し、
前記受付可否判定部は、発送認証の回答として認証失敗した場合に、受付不能の旨を出力することを特徴とする請求項４記載の匿名配送システム。
【請求項７】
所在を秘匿とする秘匿者の匿名コードと、秘匿者の氏名と住所を対応付けて記憶する秘匿所在管理テーブルを有する秘匿所在管理サーバと接続可能であり、配送物に付されたコード記録体を読み取るコード記録体読取装置と印字装置を備えた配送経路内端末であって、以下の要素を有することを特徴とする配送経路内端末
（１）配送物に付された受領者の匿名コード記録体を読み取り、受領者の匿名コードを特定する匿名コード記録体読取部
（２）前記受領者の匿名コードを含む所在照会要求を前記秘匿所在管理サーバに送信し、前記秘匿所在管理サーバから受領者の氏名と住所を受信する秘匿所在照会部
（３）配送物の表書の配達先欄に表示するための受領者の氏名と住所を印字する表書追記部。
【請求項８】
前記匿名コード記録体読取部は、更に、配送物に付された発送者の匿名コード記録体を読み取り、発送者の匿名コードを特定し、
前記秘匿所在照会部は、前記受領者の氏名と住所又は匿名コード無の回答を受信し、更に、前記発送者の匿名コードを含む所在照会要求を前記秘匿所在管理サーバに送信し、前記秘匿所在管理サーバから発送者の氏名と住所又は匿名コード無の回答を受信し、
前記表書追記部は、前記受領者の氏名と住所及び前記発送者の氏名と住所を受信した場合には、配送物の表書の配達先欄に表示するための受領者の氏名と住所を印字し、前記受領者の匿名コード無の回答及び前記発送者の氏名と住所を受信した場合には、配送物の表書の配達先欄に表示するための配達先不明の旨と、配送物の表書の発送元欄に表示するための発送者の氏名と住所を印字することを特徴とする請求項７に記載の配送経路内端末。
【請求項９】
所在を秘匿とする秘匿者の匿名コードと、秘匿者の氏名と住所を対応付けて記憶する秘匿所在管理テーブルを有する秘匿所在管理サーバと接続可能であり、配送物に付されたコード記録体を読み取るコード記録体読取装置を備えた配送受付端末であって、以下の要素を有することを特徴とする配送受付端末
（１）配送物に付された受領者の匿名コード記録体を読み取り、受領者の匿名コードを特定する匿名コード記録体読取部
（２）前記受領者の匿名コードを含む所在照会要求を前記秘匿所在管理サーバに送信し、前記秘匿所在管理サーバから受領者の氏名と住所の有無を示す匿名コード有／匿名コード無の回答を受信する秘匿所在照会部
（３）受領者の所在照会要求の回答として匿名コード有を受信した場合に、受付可能の旨を出力し、前記回答として匿名コード無を受信した場合に、受付不能の旨を出力する受付可否判定部。
【請求項１０】
前記匿名コード記録体読取部は、更に、配送物に付された発送者の匿名コード記録体を読み取り、発送者の匿名コードを特定し、
前記秘匿所在照会部は、更に、前記発送者の匿名コードを含む所在照会要求を前記秘匿所在管理サーバに送信し、前記秘匿所在管理サーバから発送者の氏名と住所の有無を示す匿名コード有／匿名コード無の回答を受信し、
前記受付可否判定部は、  受領者の所在照会要求の回答として匿名コード有を受信し、かつ発送者の所在照会要求の回答として匿名コード有を受信した場合に、受付可能の旨を出力し、受領者の所在照会要求の回答として匿名コード無を受信した場合と、発送者の所在照会要求の回答として匿名コード無を受信した場合に、受付不能の旨を出力することを特徴とする請求項９記載の配送受付端末。
【請求項１１】
前記匿名コード記録体読取部は、更に、配送物に付された発送認証コード記録体を読み取り、発送認証コードを特定し、
前記配送受付端末は、更に、
受領者の匿名コードと発送者の匿名コードと発送認証コードを含む発送認証要求を、秘匿所在管理サーバに送信し、発送認証の回答を受信する発送認証要求部を有し、
前記受付可否判定部は、発送認証の回答として認証失敗した場合に、受付不能の旨を出力することを特徴とする請求項１０記載の配送受付端末。
【請求項１２】
前記匿名コード記録体読取部は、更に、配送物に付された発送認証コード記録体を読み取り、発送認証コードを特定し、
前記配送受付端末は、更に、
発送者の匿名コードと発送認証コードを含む発送認証要求を、秘匿所在管理サーバに送信し、発送認証の回答を受信する発送認証要求部を有し、
前記受付可否判定部は、発送認証の回答として認証失敗した場合に、受付不能の旨を出力することを特徴とする請求項１０記載の配送受付端末。
【請求項１３】
所在を秘匿とする秘匿者の匿名コードと、秘匿者の氏名と住所を対応付けて記憶する秘匿所在管理テーブルを有する秘匿所在管理サーバと接続可能であり、配送物に付されたコード記録体を読み取るコード記録体読取装置と印字装置を備えた配送経路内端末となるコンピュータに、以下の手順を実行させるためのプログラム
（１）配送物に付された受領者の匿名コード記録体を読み取り、受領者の匿名コードを特定する匿名コード記録体読取手順
（２）前記受領者の匿名コードを含む所在照会要求を前記秘匿所在管理サーバに送信し、前記秘匿所在管理サーバから受領者の氏名と住所を受信する秘匿所在照会手順
（３）配送物の表書の配達先欄に表示するための受領者の氏名と住所を印字する表書追記手順。
【請求項１４】
前記匿名コード記録体読取手順は、更に、配送物に付された発送者の匿名コード記録体を読み取り、発送者の匿名コードを特定し、
前記秘匿所在照会手順は、前記受領者の氏名と住所又は匿名コード無の回答を受信し、更に、前記発送者の匿名コードを含む所在照会要求を前記秘匿所在管理サーバに送信し、前記秘匿所在管理サーバから発送者の氏名と住所又は匿名コード無の回答を受信し、
前記表書追記手順は、前記受領者の氏名と住所及び前記発送者の氏名と住所を受信した場合には、配送物の表書の配達先欄に表示するための受領者の氏名と住所を印字し、前記受領者の匿名コード無の回答及び前記発送者の氏名と住所を受信した場合には、配送物の表書の配達先欄に表示するための配達先不明の旨と、配送物の表書の発送元欄に表示するための発送者の氏名と住所を印字することを特徴とする請求項１３に記載のプログラム。
【請求項１５】
所在を秘匿とする秘匿者の匿名コードと、秘匿者の氏名と住所を対応付けて記憶する秘匿所在管理テーブルを有する秘匿所在管理サーバと接続可能であり、配送物に付されたコード記録体を読み取るコード記録体読取装置を備えた配送受付端末となるコンピュータに、以下の手順を実行させるためのプログラム
（１）配送物に付された受領者の匿名コード記録体を読み取り、受領者の匿名コードを特定する匿名コード記録体読取手順
（２）前記受領者の匿名コードを含む所在照会要求を前記秘匿所在管理サーバに送信し、前記秘匿所在管理サーバから受領者の氏名と住所の有無を示す匿名コード有／匿名コード無の回答を受信する秘匿所在照会手順
（３）受領者の所在照会要求の回答として匿名コード有を受信した場合に、受付可能の旨を出力し、前記回答として匿名コード無を受信した場合に、受付不能の旨を出力する受付可否判定手順。
【請求項１６】
前記匿名コード記録体読取手順は、更に、配送物に付された発送者の匿名コード記録体を読み取り、発送者の匿名コードを特定し、
前記秘匿所在照会手順は、更に、前記発送者の匿名コードを含む所在照会要求を前記秘匿所在管理サーバに送信し、前記秘匿所在管理サーバから発送者の氏名と住所の有無を示す匿名コード有／匿名コード無の回答を受信し、
前記受付可否判定手順は、受領者の所在照会要求の回答として匿名コード有を受信し、かつ発送者の所在照会要求の回答として匿名コード有を受信した場合に、受付可能の旨を出力し、受領者の所在照会要求の回答として匿名コード無を受信した場合と、発送者の所在照会要求の回答として匿名コード無を受信した場合に、受付不能の旨を出力することを特徴とする請求項１５に記載のプログラム。
【請求項１７】
前記匿名コード記録体読取手順は、更に、配送物に付された発送認証コード記録体を読み取り、発送認証コードを特定し、
前記プログラムは、更に、
受領者の匿名コードと発送者の匿名コードと発送認証コードを含む発送認証要求を、秘匿所在管理サーバに送信し、発送認証の回答を受信する発送認証要求手順を実行し、
前記受付可否判定手順は、発送認証の回答として認証失敗した場合に、受付不能の旨を出力することを特徴とする請求項１６に記載のプログラム。
【請求項１８】
前記匿名コード記録体読取手順は、更に、配送物に付された発送認証コード記録体を読み取り、発送認証コードを特定し、
前記プログラムは、更に、
発送者の匿名コードと発送認証コードを含む発送認証要求を、秘匿所在管理サーバに送信し、発送認証の回答を受信する発送認証要求手順を実行し、
前記受付可否判定手順は、発送認証の回答として認証失敗した場合に、受付不能の旨を出力することを特徴とする請求項１６記載のプログラム。
【発明の詳細な説明】
【技術分野】
【０００１】
本発明は、発送者から受領者への移送物の配送を支援する匿名配送システムに係り、発送者と受領者の所在を秘密にした上での安全な配送を実現する技術に関する。
【背景技術】
【０００２】
「配送物受渡管理システム及び配送物受渡管理プログラム」（特許文献１）には、送物を正しい宛先に確実に受け渡すことを可能とする配送物受渡管理システムが開示されている。このシステムでは、配送物の伝票を読み取って宛先を特定するように動作する。
【０００３】
伝票には、氏名や住所がそのまま表示されている。従って、発送者に対して予め受領者の氏名や住所を知らせる必要がある。
【０００４】
しかし、このように氏名や住所を発送者に知られると、その後の売り込みや勧誘などに利用され、あるいは他者に違法に転売される恐れがある。
【特許文献１】特開２００８−１８４２５１号公報
【発明の開示】
【発明が解決しようとする課題】
【０００５】
本発明は、このような問題を解決することを主な目的とし、信用度が不明な相手から配送を依頼する場合にも、氏名や住所を秘密にすることができる配送システムを提供することを課題とする。
【０００６】
更に、所在の秘匿化に伴う課題として、移送先不明の回避、成り済ましによる悪質配送の阻止も課題とする。
【課題を解決するための手段】
【０００７】
本発明に係る匿名配送システムは、
配送物に付されたコード記録体を読み取るコード記録体読取装置と印字装置を備えた配送経路内端末と、当該配送経路内端末と接続可能な秘匿所在管理サーバとからなる匿名配送システムであって、
前記配送経路内端末は、
配送物に付された受領者の匿名コード記録体を読み取り、受領者の匿名コードを特定する匿名コード記録体読取部と、
前記受領者の匿名コードを含む所在照会要求を前記秘匿所在管理サーバに送信し、前記秘匿所在管理サーバから受領者の氏名と住所を受信する秘匿所在照会部と、
配送物の表書の配達先欄に表示するための受領者の氏名と住所を印字する表書追記部を有し、
前記秘匿所在管理サーバは、
秘匿者の匿名コードと、秘匿者の氏名と住所を対応付けて記憶する秘匿所在管理テーブルと、
匿名コードを含む所在照会要求を受信し、受信した匿名コードに対応する秘匿者の氏名と住所を前記秘匿所在管理テーブルから検索し、検索した秘匿者の氏名と住所を返信する秘匿所在回答部を有することを特徴とする。
【０００８】
また、
前記秘匿所在回答部は、前記秘匿所在管理テーブルに、前記受信した匿名コードに対応する秘匿者の氏名と住所が無い場合に、匿名コード無の回答を返信し、
前記匿名コード記録体読取部は、更に、配送物に付された発送者の匿名コード記録体を読み取り、発送者の匿名コードを特定し、
前記秘匿所在照会部は、前記受領者の氏名と住所又は匿名コード無の回答を受信し、更に、前記発送者の匿名コードを含む所在照会要求を前記秘匿所在管理サーバに送信し、前記秘匿所在管理サーバから発送者の氏名と住所又は匿名コード無の回答を受信し、
前記表書追記部は、前記受領者の氏名と住所及び前記発送者の氏名と住所を受信した場合には、配送物の表書の配達先欄に表示するための受領者の氏名と住所を印字し、前記受領者の匿名コード無の回答及び前記発送者の氏名と住所を受信した場合には、配送物の表書の配達先欄に表示するための配達先不明の旨と、配送物の表書の発送元欄に表示するための発送者の氏名と住所を印字することを特徴とする。
【０００９】
本願発明に係る匿名配送システムは、
配送物に付されたコード記録体を読み取るコード記録体読取装置を備えた配送受付端末と、当該配送受付端末と接続可能な秘匿所在管理サーバとからなる匿名配送システムであって、
前記配送受付端末は、
配送物に付された受領者の匿名コード記録体を読み取り、受領者の匿名コードを特定する匿名コード記録体読取部と、
前記受領者の匿名コードを含む所在照会要求を前記秘匿所在管理サーバに送信し、前記秘匿所在管理サーバから受領者の氏名と住所の有無を示す匿名コード有／匿名コード無の回答を受信する秘匿所在照会部と、
受領者の所在照会要求の回答として匿名コード有を受信した場合に、受付可能の旨を出力し、前記回答として匿名コード無を受信した場合に、受付不能の旨を出力する受付可否判定部を有し、
前記秘匿所在管理サーバは、
秘匿者の匿名コードと、秘匿者の氏名と住所を対応付けて記憶する秘匿所在管理テーブルと、匿名コードを含む所在照会要求を受信し、受信した匿名コードを前記秘匿所在管理テーブルから検索し、当該匿名コードに対応する秘匿者の氏名と住所が有る場合には匿名コード有の回答を返信し、当該匿名コードに対応する秘匿者の氏名と住所が無い場合には匿名コード無の回答を返信する秘匿所在回答部を有することを特徴とする。
【００１０】
また、
前記匿名コード記録体読取部は、更に、配送物に付された発送者の匿名コード記録体を読み取り、発送者の匿名コードを特定し、
前記秘匿所在照会部は、更に、前記発送者の匿名コードを含む所在照会要求を前記秘匿所在管理サーバに送信し、前記秘匿所在管理サーバから発送者の氏名と住所の有無を示す匿名コード有／匿名コード無の回答を受信し、
前記受付可否判定部は、  受領者の所在照会要求の回答として匿名コード有を受信し、かつ発送者の所在照会要求の回答として匿名コード有を受信した場合に、受付可能の旨を出力し、受領者の所在照会要求の回答として匿名コード無を受信した場合と、発送者の所在照会要求の回答として匿名コード無を受信した場合に、受付不能の旨を出力することを特徴とする。
【００１１】
また、
前記秘匿所在管理サーバは、更に、
受領者の匿名コードと、発送者の匿名コードと、発送の適正を認証するための発送認証コードを対応付けて記憶する発送認証テーブルと、
受領者の匿名コードと発送者の匿名コードと発送認証コードを含む発送認証要求を受信し、受信した受領者の匿名コードと発送者の匿名コードと発送認証コードを対応付けた組を発送認証テーブルで検索し、当該対応付けた組が有る場合に、認証成功の回答を返信し、当該対応付けた組が無い場合に、認証失敗の回答を返信する発送認証回答部を有し、
前記匿名コード記録体読取部は、更に、配送物に付された発送認証コード記録体を読み取り、発送認証コードを特定し、
前記配送受付端末は、更に、
受領者の匿名コードと発送者の匿名コードと発送認証コードを含む発送認証要求を、秘匿所在管理サーバに送信し、発送認証の回答を受信する発送認証要求部を有し、
前記受付可否判定部は、発送認証の回答として認証失敗した場合に、受付不能の旨を出力することを特徴とする。
【００１２】
また、
前記秘匿所在管理サーバは、更に、
有効期限と、発送者の匿名コードと、発送の適正を認証するための発送認証コードを対応付けて記憶する発送認証テーブルと、
発送者の匿名コードと発送認証コードを含む発送認証要求を受信し、受信した発送者の匿名コードを発送認証テーブルで検索し、当該発送者の匿名コードに対応する有効期限外である場合に、認証失敗の回答を返信する発送認証回答部を有し、
前記匿名コード記録体読取部は、更に、配送物に付された発送認証コード記録体を読み取り、発送認証コードを特定し、
前記配送受付端末は、更に、
発送者の匿名コードと発送認証コードを含む発送認証要求を、秘匿所在管理サーバに送信し、発送認証の回答を受信する発送認証要求部を有し、
前記受付可否判定部は、発送認証の回答として認証失敗した場合に、受付不能の旨を出力することを特徴とする。
【００１３】
本願発明に係る配送経路内端末は、
所在を秘匿とする秘匿者の匿名コードと、秘匿者の氏名と住所を対応付けて記憶する秘匿所在管理テーブルを有する秘匿所在管理サーバと接続可能であり、配送物に付されたコード記録体を読み取るコード記録体読取装置と印字装置を備えた配送経路内端末であって、以下の要素を有することを特徴とする
（１）配送物に付された受領者の匿名コード記録体を読み取り、受領者の匿名コードを特定する匿名コード記録体読取部
（２）前記受領者の匿名コードを含む所在照会要求を前記秘匿所在管理サーバに送信し、前記秘匿所在管理サーバから受領者の氏名と住所を受信する秘匿所在照会部
（３）配送物の表書の配達先欄に表示するための受領者の氏名と住所を印字する表書追記部。
【００１４】
また、
前記匿名コード記録体読取部は、更に、配送物に付された発送者の匿名コード記録体を読み取り、発送者の匿名コードを特定し、
前記秘匿所在照会部は、前記受領者の氏名と住所又は匿名コード無の回答を受信し、更に、前記発送者の匿名コードを含む所在照会要求を前記秘匿所在管理サーバに送信し、前記秘匿所在管理サーバから発送者の氏名と住所又は匿名コード無の回答を受信し、
前記表書追記部は、前記受領者の氏名と住所及び前記発送者の氏名と住所を受信した場合には、配送物の表書の配達先欄に表示するための受領者の氏名と住所を印字し、前記受領者の匿名コード無の回答及び前記発送者の氏名と住所を受信した場合には、配送物の表書の配達先欄に表示するための配達先不明の旨と、配送物の表書の発送元欄に表示するための発送者の氏名と住所を印字することを特徴とする。
【００１５】
本願発明に係る配送受付端末は、
所在を秘匿とする秘匿者の匿名コードと、秘匿者の氏名と住所を対応付けて記憶する秘匿所在管理テーブルを有する秘匿所在管理サーバと接続可能であり、配送物に付されたコード記録体を読み取るコード記録体読取装置を備えた配送受付端末であって、以下の要素を有することを特徴とする
（１）配送物に付された受領者の匿名コード記録体を読み取り、受領者の匿名コードを特定する匿名コード記録体読取部
（２）前記受領者の匿名コードを含む所在照会要求を前記秘匿所在管理サーバに送信し、前記秘匿所在管理サーバから受領者の氏名と住所の有無を示す匿名コード有／匿名コード無の回答を受信する秘匿所在照会部
（３）受領者の所在照会要求の回答として匿名コード有を受信した場合に、受付可能の旨を出力し、前記回答として匿名コード無を受信した場合に、受付不能の旨を出力する受付可否判定部。
【００１６】
また、
前記匿名コード記録体読取部は、更に、配送物に付された発送者の匿名コード記録体を読み取り、発送者の匿名コードを特定し、
前記秘匿所在照会部は、更に、前記発送者の匿名コードを含む所在照会要求を前記秘匿所在管理サーバに送信し、前記秘匿所在管理サーバから発送者の氏名と住所の有無を示す匿名コード有／匿名コード無の回答を受信し、
前記受付可否判定部は、  受領者の所在照会要求の回答として匿名コード有を受信し、かつ発送者の所在照会要求の回答として匿名コード有を受信した場合に、受付可能の旨を出力し、受領者の所在照会要求の回答として匿名コード無を受信した場合と、発送者の所在照会要求の回答として匿名コード無を受信した場合に、受付不能の旨を出力することを特徴とする。
【００１７】
また、
前記匿名コード記録体読取部は、更に、配送物に付された発送認証コード記録体を読み取り、発送認証コードを特定し、
前記配送受付端末は、更に、
受領者の匿名コードと発送者の匿名コードと発送認証コードを含む発送認証要求を、秘匿所在管理サーバに送信し、発送認証の回答を受信する発送認証要求部を有し、
前記受付可否判定部は、発送認証の回答として認証失敗した場合に、受付不能の旨を出力することを特徴とする。
【００１８】
また、
前記匿名コード記録体読取部は、更に、配送物に付された発送認証コード記録体を読み取り、発送認証コードを特定し、
前記配送受付端末は、更に、
発送者の匿名コードと発送認証コードを含む発送認証要求を、秘匿所在管理サーバに送信し、発送認証の回答を受信する発送認証要求部を有し、
前記受付可否判定部は、発送認証の回答として認証失敗した場合に、受付不能の旨を出力することを特徴とする。
【００１９】
本願発明に係るプログラムは、
所在を秘匿とする秘匿者の匿名コードと、秘匿者の氏名と住所を対応付けて記憶する秘匿所在管理テーブルを有する秘匿所在管理サーバと接続可能であり、配送物に付されたコード記録体を読み取るコード記録体読取装置と印字装置を備えた配送経路内端末となるコンピュータに、以下の手順を実行させることを特徴とする
（１）配送物に付された受領者の匿名コード記録体を読み取り、受領者の匿名コードを特定する匿名コード記録体読取手順
（２）前記受領者の匿名コードを含む所在照会要求を前記秘匿所在管理サーバに送信し、前記秘匿所在管理サーバから受領者の氏名と住所を受信する秘匿所在照会手順
（３）配送物の表書の配達先欄に表示するための受領者の氏名と住所を印字する表書追記手順。
【００２０】
また、
前記匿名コード記録体読取手順は、更に、配送物に付された発送者の匿名コード記録体を読み取り、発送者の匿名コードを特定し、
前記秘匿所在照会手順は、前記受領者の氏名と住所又は匿名コード無の回答を受信し、更に、前記発送者の匿名コードを含む所在照会要求を前記秘匿所在管理サーバに送信し、前記秘匿所在管理サーバから発送者の氏名と住所又は匿名コード無の回答を受信し、
前記表書追記手順は、前記受領者の氏名と住所及び前記発送者の氏名と住所を受信した場合には、配送物の表書の配達先欄に表示するための受領者の氏名と住所を印字し、前記受領者の匿名コード無の回答及び前記発送者の氏名と住所を受信した場合には、配送物の表書の配達先欄に表示するための配達先不明の旨と、配送物の表書の発送元欄に表示するための発送者の氏名と住所を印字することを特徴とする。
【００２１】
本願発明に係るプログラムは、
所在を秘匿とする秘匿者の匿名コードと、秘匿者の氏名と住所を対応付けて記憶する秘匿所在管理テーブルを有する秘匿所在管理サーバと接続可能であり、配送物に付されたコード記録体を読み取るコード記録体読取装置を備えた配送受付端末となるコンピュータに、以下の手順を実行させることを特徴とする
（１）配送物に付された受領者の匿名コード記録体を読み取り、受領者の匿名コードを特定する匿名コード記録体読取手順
（２）前記受領者の匿名コードを含む所在照会要求を前記秘匿所在管理サーバに送信し、前記秘匿所在管理サーバから受領者の氏名と住所の有無を示す匿名コード有／匿名コード無の回答を受信する秘匿所在照会手順
（３）受領者の所在照会要求の回答として匿名コード有を受信した場合に、受付可能の旨を出力し、前記回答として匿名コード無を受信した場合に、受付不能の旨を出力する受付可否判定手順。
【００２２】
また、
前記匿名コード記録体読取手順は、更に、配送物に付された発送者の匿名コード記録体を読み取り、発送者の匿名コードを特定し、
前記秘匿所在照会手順は、更に、前記発送者の匿名コードを含む所在照会要求を前記秘匿所在管理サーバに送信し、前記秘匿所在管理サーバから発送者の氏名と住所の有無を示す匿名コード有／匿名コード無の回答を受信し、
前記受付可否判定手順は、受領者の所在照会要求の回答として匿名コード有を受信し、かつ発送者の所在照会要求の回答として匿名コード有を受信した場合に、受付可能の旨を出力し、受領者の所在照会要求の回答として匿名コード無を受信した場合と、発送者の所在照会要求の回答として匿名コード無を受信した場合に、受付不能の旨を出力することを特徴とする。
【００２３】
また、
前記匿名コード記録体読取手順は、更に、配送物に付された発送認証コード記録体を読み取り、発送認証コードを特定し、
前記プログラムは、更に、
受領者の匿名コードと発送者の匿名コードと発送認証コードを含む発送認証要求を、秘匿所在管理サーバに送信し、発送認証の回答を受信する発送認証要求手順を実行し、
前記受付可否判定手順は、発送認証の回答として認証失敗した場合に、受付不能の旨を出力することを特徴とする。
【００２４】
また、
前記匿名コード記録体読取手順は、更に、配送物に付された発送認証コード記録体を読み取り、発送認証コードを特定し、
前記プログラムは、更に、
発送者の匿名コードと発送認証コードを含む発送認証要求を、秘匿所在管理サーバに送信し、発送認証の回答を受信する発送認証要求手順を実行し、
前記受付可否判定手順は、発送認証の回答として認証失敗した場合に、受付不能の旨を出力することを特徴とする。
【発明の効果】
【００２５】
本発明によれば、配送物の表書の配達先として匿名コードのみを通知し、またバーコードで表示するので、発送者に受領者の氏名や住所を知られることなく、移送品の配送が行われる。例えば、試供品を配送する場合に、提供者に試用者の氏名や住所を秘密にできる。また、インターネットオークションの配送では、出品者に落札者の氏名や住所を秘密にできる。
【００２６】
また、発送元も発送者匿名として匿名コードのみを通知し、またバーコードで表示するので、受領者に発送者の氏名や住所を知られることなく、移送品の配送が行われる。また、発送者匿名バーコードは、受領者から発送者へ逆方向の配送を行う場合に、受領者匿名バーコードとして用いることができる。例えば、レンタル品の貸し出しと返却を両匿名バーコードのみで行い、貸し手と借り手の氏名と住所を互いに秘密にすることができる。また、往復はがきによる通信のような場合も同様である。
【００２７】
また、配送受付の段階で、配送物の送り状（伝票）に表示された受領者匿名コードの登録状態を確認した上で、配送物を受け入れるので、配達先が不明となる事態を回避できる。
【００２８】
更に、配送受付の段階で、配送物の送り状に表示された発送者匿名コードの登録状態も確認した上で、配送物を受け入れるので、配達先及び発送者が不明のため、移送先が確定せず配達も返却もできない事態を回避できる。
【００２９】
また、予め発送者に発行した発送認証コードにより、正当な発送であるかを認証するので、他人に成り済ました悪質発送行為を阻止できる。
【発明を実施するための最良の形態】
【００３０】
実施の形態１．
図１は、実施の形態１に係る匿名配送システムの概要を示す図である。匿名配送システムは、秘匿所在管理サーバ１、受領者端末２、発送者端末３、及び配送経路内端末４から構成されている。秘匿所在管理サーバ１、受領者端末２、発送者端末３、及び配送経路内端末４は、表示部、操作部、演算部、記憶部、通信制御部等を備えている。発送者端末３は、印字装置（プリンタ）を有している。配送経路内端末４は、印字装置（プリンタ）とバーコード読取装置を備えている。印字装置（プリンタ）は、通常の文字情報を印刷する他、バーコードを印刷するバーコード書込装置として用いられる。尚、バーコードは、コード記録体の例であり、バーコード読取装置は、コード記録体読取装置の例であり、バーコード書込装置は、コード記録体書込装置の例である。
【００３１】
受領者端末２は、所在を秘密にした状態で、発送者から移送物（配送物）を受け取ろうとする受領者が用いる端末である。各画面を表示し、データを入力し、返信するためのブラウザを有している。発送者端末３は、受領者に対して、移送物を配送手段により送ろうとする発送者が用いる端末である。秘匿所在管理サーバ１は、受領者を特定する匿名コードとともに、受領者の氏名と住所等の所在に関する情報を管理するサーバである。配送経路内端末４は、郵便業者や輸送業者などの配送業者の経路内に設けられる端末である。例えば、代理店、営業所、配送センターなどの配送施設内に設けられる。郵便業者による配送の場合に、配送物は郵便物であり、輸送業者による配送の場合には、配送物は貨物、荷物、小包等である。
【００３２】
移送は、多様な形態で行われる。例えば、商品売買に本発明を応用する場合には、商品が移送品となり、販売者が発送者となり、購入者が受領者となる。オークションに応用する場合には、出品物が移送品となり、出品者が発送者となり、落札者が受領者となる。試供品の提供に応用する場合には、試供品が移送品となり、提供者が発送者となり、試用者が受領者となる。会報、雑誌、或いは書籍等（発行物）の講読に応用する場合には、発行物が移送品となり、発行者が発送者となり、読者が受領者となる。レンタルに応用する場合には、レンタル品が移送品となり、貸し出しの配送で、貸し手が発送者となり、借り手が受領者となり、返却の配送で、借り手が発送者となり、貸し手が受領者となる。
【００３３】
秘匿所在管理サーバ１と受領者端末２は、ネットワーク（この例では、インターネット）を介して接続している。受領者端末２と発送者端末３も、ネットワーク（この例では、インターネット）を介して接続している。また、秘匿所在管理サーバ１と配送経路内端末４も、ネットワーク（インターネット、専用回線など）を介して接続している。
【００３４】
本実施の形態における概要を説明する。
（１）秘匿所在の登録と匿名コードの発行
秘匿所在管理サーバ１が提供する秘匿所在登録画面を介して（１−１）、受領者端末２から秘匿所在管理サーバ１に匿名コード、氏名や住所等の所在情報を登録する（１−２、１−３）。
（２）匿名コードの転送
発送者端末３が提供する配達先指定画面を介して（１−４）、受領者端末２から発送者端末３に受領者匿名コードを送信する（１−５、１−６）。
（３）送り状の印刷と発送
発送者端末３が、配達先を受領者匿名バーコードで指定した送り状（伝票）を印字する（１−７）。送り状は配送物に付され、その後配送物は発送される（１−８）。
（４）秘匿所在の転送と追記
配送経路内端末４で、送り状に記入された受領者匿名バーコードに対応する氏名と住所を秘匿所在管理サーバ１から取得し（１−９）、配達先として印字する（１−１０）。そして、氏名と住所宛に配送物が届けられる。
＜（１）秘匿所在の登録と匿名コードの発行＞
図２は、秘匿所在登録処理に関する秘匿所在管理サーバの構成を示す図である。秘匿所在管理サーバ１は、秘匿所在登録部１１０、秘匿所在管理テーブル１２０を有している。
【００３５】
秘匿所在登録部１１０は、受領者端末２からのアクセス要求に応じて、受領者端末２に秘匿所在登録画面を送信するように構成されている。図３に、秘匿所在登録画面の例を示す。秘匿所在登録画面は、ブラウザを介して受領者端末２の操作者に、希望する匿名コード、氏名、郵便番号、住所、電話番号、電子メールアドレスの入力を促し、これらの情報の入力を受け付け、更に送信の指示を受け付けた場合に、これらの情報を受領者端末２から発送者端末３に返信するように構成されている。
【００３６】
図４は、秘匿所在管理テーブルの例を示す図である。秘匿所在管理テーブル１２０は、所在を秘匿にする者（受領者）毎にレコードを有し、各項目として匿名コード、氏名、郵便番号、住所、電話番号、電子メールアドレスを対応付けて記憶するように構成されている。
【００３７】
ここで、秘匿所在登録部１１０の処理について詳述する。図５は、秘匿所在管理サーバによる秘匿所在登録処理フロー（例１）を示す図である。受領者端末２からアクセスを待つ状態で、アクセス要求を受信すると（Ｓ５０１）、秘匿所在登録画面を受領者端末２に返信する（Ｓ５０２）。そして、受領者端末２のブラウザ上で秘匿所在登録画面に入力した希望匿名コード、氏名、郵便番号、住所、電話番号、電子メールアドレスを受信する（Ｓ５０３）。希望匿名コードは、受領者が希望した匿名コードである。但し、匿名コードは他の受領者と重複しないように割り当てる必要がある。そこで、希望匿名コードと一致する既登録の匿名コードがあるか判定する（Ｓ５０４）。既に登録されているいずれかの匿名コードと一致した場合には、他の希望匿名コードの入力を促すコメントを付加した秘匿所在登録画面を返信し（Ｓ５０５）、Ｓ５０３とＳ５０４の処理を繰り返す。他方、希望匿名コードがいずれの匿名コードとも一致しなかった場合には、希望匿名コード、氏名、郵便番号、住所、電話番号、及び電子メールアドレスを対応付けて秘匿所在管理テーブル１２０に記憶させ（Ｓ５０６）、確定した匿名コードを知らせ、秘匿所在登録が完了した旨を伝える通知を受領者端末２に返信する（Ｓ５０７）。
【００３８】
上述の例では、受領者が希望する匿名コードを指定したが、秘匿所在管理サーバ１で匿名コードを割り振るようにしてもよい。その例を示す。図６は、秘匿所在管理サーバによる秘匿所在登録処理フロー（例２）を示す図である。上述と同様に、アクセスを待って（Ｓ６０１）、秘匿所在登録画面を返信する（Ｓ６０２）。この例における秘匿所在登録画面では、希望匿名コード以外の情報（氏名、郵便番号、住所、電話番号、電子メールアドレス）の入力を促し、同情報を受付け、秘匿所在管理サーバ１に返信するように構成されている。従って、受領者端末２より、氏名、郵便番号、住所、電話番号、電子メールアドレスを受信する（Ｓ６０３）。そして、未使用の匿名コードを割り当てる（Ｓ６０４）。例えば、連番でコードを作成する方法や、乱数に基づいて無作為のコードを作成する方法や、予め用意されたコードから選択する方法などが考えられる。重複がないようにコードを作成するか、あるいは既に登録してある全て匿名コードと比較し、いずれの匿名コードとも不一致であることを判定することが必要になる。このようにして生成した割当コード、つまり割り当てた匿名コードの他、氏名、郵便番号、住所、電話番号、電子メールアドレスを対応付けて秘匿所在管理テーブル１２０に記憶させる（Ｓ６０５）。そして、その割当匿名コードを確定した匿名コードとして知らせ、秘匿所在登録が完了した旨を知らせる通知を返信する（Ｓ６０６）。
＜（２）匿名コードの転送＞
次に、発送者端末３が受領者端末２より受領者匿名コードを取得する動作について説明する。この例では、まず受領者端末２の操作者に移送品を選択させ、続いて配達先を指定させるように動作する。移送品は、例えば購買品、試供品、発行物などが考えられる。尚、移送品はこの発明において配送対象となるので、その意味で配送品となる。
【００３９】
図７は、移送要求受付処理に関する発送者端末の構成を示す図である。発送者端末３は、移送要求受付部３１０と発送管理テーブル３２０を有している。移送要求受付部３１０は、移送品選択受付部３１１、配達先指定受付部３１２、及び移送要求受付完了部３１３を有している。移送品選択受付部３１１は、受領者端末２より移送品の選択を受け付け、配達先指定受付部３１２は、配達先の指定を受け付け、移送要求受付完了部３１３は、受付日時を記録して、全体の受付が完了した通知を受領者端末２に返信するように構成されている。
【００４０】
発送管理テーブル３２０は、移送要求により指定された発送対象を管理するためのテーブルである。図８は、発送管理テーブルの例を示す図である。移送要求（発送対象）毎にレコードを設け、発送ＩＤ、受付日時、配達先種別、受領者匿名コード、氏名、郵便番号、住所、電話番号、電子メールアドレス、及び配送品を対応付けて記憶するように構成されている。配達先種別が、「直接」の場合には氏名、郵便番号、住所、電話番号、及び電子メールアドレスを記憶し、「匿名コード」の場合には受領者匿名コードを記憶するように管理されている。
【００４１】
発送者端末３による移送要求受付処理の詳細について説明する。図９は、配送者端末による移送要求受付処理フローを示す図である。移送要求受付部３１０は、アクセス受信部（図示せず）で受領者端末２からの移送要求のアクセスを待ち、アクセスを受信した場合には（Ｓ９０１）、移送品選択受付部３１１による移送品選択受付処理（Ｓ９０２）に移行する。
【００４２】
図１０は、移送品選択受付処理フローを示す図である。まず、受領者端末２に移送品選択画面を返信する（Ｓ１００１）。移送品選択画面は、ブラウザを介して受領者端末２の操作者に対して移送品の選択を促し、移送品の選択指示を受信するように構成されている。これにより、受領者端末２より移送品の選択を受信する（Ｓ１００２）。そして、選択された移送品を発送管理テーブルに配送品として記憶させる（Ｓ１００３）。
【００４３】
次に、配達先指定受付部３１２による配達先指定受付処理（Ｓ９０３）を行う。この処理で、受領者端末２より配達先の指定を受け付ける。この例では、配達先の指定方式として、配達先種別を「直接」として普通通り氏名や住所等を指定する方式と、配達先種別を「匿名コード」として、匿名コードのみを指定する方式を選択できる。図１１は、配達先指定受付処理フローを示す図である。まず、受領者端末２に配達先指定画面を送信する（Ｓ１１０１）。
【００４４】
図１２は、配達先指定画面の例を示す図である。配達先指定画面は、ブラウザを介して受領者端末２の操作者に対して配達先の指定方式である配達先種別の選択を促し、更にその種別に応じて配達先を特定する情報の入力を促すように構成されている。配達先種別として「直接」を選択する場合には、氏名、郵便番号、住所、電話番号、電子メールアドレスの入力を促し、他方「匿名コード」を選択する場合には、受領者匿名コードに入力を促すように構成されている。具体的には、氏名、郵便番号、住所、電話番号、電子メールアドレスを入力し、配達先直接送信のアイコンを指示することにより、配達先種別（「直接」の別）と、これらのデータが発送者端末３に返信される。また、受領者匿名コードを入力し、匿名コード送信のアイコンを指示することにより、配達先種別（「匿名コード」の別）と、受領者匿名コードが発送者端末３に返信される。
【００４５】
この画面の構成に従い、発送者端末３は受領者端末２より、操作者が当該画面に入力した配達先指定情報を受信する（Ｓ１１０２）。配達先指定情報とは、「直接」あるいは「匿名コード」の別を示す配達先種別と、配達先種別が「直接」である場合の氏名、郵便番号、住所、電話番号、電子メールアドレス、あるいは配達先種別が「匿名コード」である場合の受領者匿名コードのことである。そして、受信した配達先種別を判定し（Ｓ１１０３）、「直接」である場合には発送管理テーブル３２０の新たなレコードの配達先種別の項目に「直接」を記憶させ、更に受信した氏名、郵便番号、住所、電話番号、電子メールアドレスを対応付けて記憶させる（Ｓ１１０４）。一方、「匿名コード」である場合には発送管理テーブル３２０の新たなレコードの配達先種別の項目に「匿名コード」を記憶させ、更に受領者匿名コードを対応付けて記憶させる（Ｓ１１０５）。
【００４６】
そして、移送要求受付完了処理（Ｓ９０４）により移送要求の受付を完了させる。図１３は、移送要求受付完了処理フローを示す図である。発送管理テーブル３２０に新たに生成した当該レコードの受付日時の項目に、当日の日付及び当該現在時刻を記憶する（Ｓ１３０１）。最後に、移送要求受付完了の通知を受領者端末２に返信する（Ｓ１３０２）。
＜（３）送り状の印刷と発送＞
次に、発送者端末３が、受領者匿名バーコードで配達先を指定した送り状を印字する動作について説明する。
【００４７】
図１４は、配送物表書出力処理に関する発送者端末の構成を示す図である。発送者端末３は、配送品の送り状を印字するため、つまり表書きを出力するために、配送物表書出力部３３０を備えている。その配送物表書出力部３３０は、印刷装置を用いて配達先を印字させる配達先印字部３３１と、印刷装置を用いて配送元を印字させる発送元印字部３３２を備えている。また、発送者自身の氏名、郵便番号、住所、電話番号を予め記憶している発送元所在記憶部３４０を有している。発送管理テーブル３２０は、前述の通りである。
【００４８】
この構成により、送り状が印字される。図１５は、配送物表書出力処理により印字された送り状の例を示す図である。本実施の形態では、受領者の所在を秘匿するため、配達先の住所や氏名は印字されない。それに代わって、受領者匿名コードがバーコードの態様で印字される。発送元に関しては、通常と同様に発送者の氏名、住所等が直接表示される。
【００４９】
この配送物表書出力部３３０による配送物表書出力処理について詳述する。図１６は、発送者端末による配送物表書出力処理フローを示す図である。まず、発送ＩＤ受付部（図示せず）により、発送ＩＤを受け付ける（Ｓ１６０１）。操作者が直接操作して発送ＩＤを入力する形態や、移送要求の受付日付や配送品などを検索キーとしては検索部（図示せず）により移送要求を検索し、その結果得られる発送ＩＤを取得する形態などが考えられる。
【００５０】
続いて、配達先印字部３３１による配達先印字処理（Ｓ１６０２）で、表書として配達先を特定する情報を印字する。図１７は、配達先印字処理フローを示す図である。発送管理テーブル３２０から、発送ＩＤに対応する配達先種別を読み取り（Ｓ１７０１）、読み取った配達先種別が「直接」の場合には（Ｓ１７０２）、発送管理テーブル３２０から、発送ＩＤに対応する氏名、郵便番号、住所、電話番号を読み取り（Ｓ１７０３）、送り状の配達先欄の各所定位置に、読み取った氏名、郵便番号、住所、電話番号を印字する（Ｓ１７０４）。他方、配達先種別が「匿名コード」の場合には（Ｓ１７０２）、発送管理テーブル３２０から、発送ＩＤに対応する受領者匿名コードを読み取り（Ｓ１７０５）、読み取った匿名コード（受領者匿名コード）をバーコード（受領者匿名バーコード）に変換して、配達先欄のバーコードを表示するための所定位置に印字する（Ｓ１７０６）。
【００５１】
次に、発送元印字部３３２による発送元印字処理（Ｓ１６０３）について詳述する。図１８は、発送元印字処理フローを示す図である。発送元所在記憶部３４０から、発送元の氏名、郵便番号、住所、電話番号を読み取り（Ｓ１８０１）、発送元欄の各所定位置に、読み取った氏名、郵便番号、住所、電話番号を印字する（Ｓ１８０２）。
【００５２】
その後、上述の送り状を付された配送物は配送業者に渡され、発送される。
＜（４）秘匿所在の転送と追記＞
最後に、配送経路内端末４で、送り状に記入された受領者匿名バーコードに対応する氏名と住所等を取得し、配達先を印字する動作について説明する。これにより、配達先が具体的に補完される。
【００５３】
配送経路内端末４の構成について説明する。図１９は、配送物表書補完処理に係る配送経路内端末の構成を示す図である。配送経路内端末４は、この動作のために配送物表書補完部４１０を有している。更に、配送物表書補完部４１０は、秘匿所在管理サーバ１にアクセスしログインするためのログイン要求部４１１、秘匿所在管理サーバ１から受領者の匿名コードに対応する受領者の氏名や住所等を取得する匿名コード変換部４１２、秘匿所在管理サーバ１からログアウトするためのログアウト要求部４１３を有している。
【００５４】
続いて、配送物表書補完部４１０による配送物表書補完処理について説明する。図２０は、配送経路内端末４による配送物表書補完処理フローを示す図である。まずログイン要求部４１１により、秘匿所在管理サーバ００１にアクセスし、ログイン要求（ユーザ名とパスワードを含む。）を送信し（Ｓ２００１）、返信される認証結果を受信する。認証結果が認証失敗の場合には（Ｓ２００２）、エラー終了する。つまり、認証結果が認証成功の場合のみ処理を続行し、指示の入力を待つ（Ｓ２００３）。送り状にバーコード読取装置を接する状態にできる状況になると、操作者の操作により匿名コード変換処理の開始指示が入力される。この指示を受け付けた場合に（Ｓ２００４）、匿名コード変換部４１２による匿名コード変換処理（Ｓ２００５）を行う。匿名コード変換処理（Ｓ２００５）では、送り状より受領者バーコードを読み取り、氏名と住所等に変換して、送り状に書き込む処理を行う。匿名コード変換処理（Ｓ２００５）については、図２１と図２２を用いて詳述する。匿名コード変換処理（Ｓ２００５）を終えると、Ｓ２００３に戻り、匿名コード変換処理の指示を入力する都度、匿名コード変換処理（Ｓ２００５）を繰り返す。そして、終了指示が入力されると（Ｓ２００６）、ログアウト要求部４１３より秘匿所在管理サーバ秘匿所在管理サーバ１に、ログアウト要求を送信する（Ｓ２００７）。ログアウトが完了すると、終了する。
【００５５】
前述の匿名コード変換処理（Ｓ２００５）について詳述する。図２１は、匿名コード変換部の構成を示す図である。匿名コード変換部４１２は、受領者匿名バーコードを読み取り、受領者匿名コードに変換する匿名バーコード読取部４１２ａ、受領者匿名コードを含む所在照会要求を秘匿所在管理サーバ１に送信し、回答を得る秘匿所在照会部４１２ｂ、回答に従って、送り状に氏名と住所等を印字する表書追記部４１２ｃを有している。
【００５６】
図２２は、匿名コード変換処理フローを示す図である。まず、匿名バーコード読取部４１２ａによる匿名バーコード読取処理（Ｓ２２０１）で、バーコード読取装置を制御して受領者匿名バーコードを読み取り、受領者匿名コードを特定する。この処理については、図２５を用いて詳述する。そして、終了ステータス（Ｓ２２０２）が読取完了の場合には、秘匿所在を秘匿所在管理サーバ１に問い合わせる秘匿所在照会処理（Ｓ２２０３）と、受信した回答結果に基づいて、表書（この例では、送り状）に追記する表書追記処理（Ｓ２２０４）を行う。秘匿所在照会処理（Ｓ２２０３）については、図２６を用いて詳述する。表書追記処理（Ｓ２２０４）については、図２７を用いて詳述する。
【００５７】
この処理により、秘密にされていた受領者の具体的な送り先が送り状に印字される。図２３は、受領者匿名コードが有った場合に追記された送り状の例を示す図である。図１５に示した送り状の受領者匿名バーコードに対応する秘匿所在（氏名、住所等）が秘匿所在管理サーバ１に登録されていた場合には、回答として得た所在、つまり郵便番号、住所、氏名、電話番号を、それぞれ郵便番号、住所、氏名、電話番号の記入欄に表示している。これにより、正常に受領者宛に配達されることになる。
【００５８】
図２４は、受領者匿名コードが無かった場合に追記された送り状の例を示す図である。図１５に示した送り状の受領者匿名バーコードに相当する秘匿所在（氏名、住所等）が秘匿所在管理サーバ１に登録されていなかった場合には、配達先のいずれかの記入欄（この例では、住所の記入欄）に配達先不明の旨を印字する。これにより、配送物が発送元に返送されることになる。また、受領者匿名バーコードから読み取った受領者匿名コードを印字している。これにより、配送できなかった配達先の受領者匿名コードを確認できるようになる。但し、受領者匿名コードの印字を省略する形態も有効である。
【００５９】
ここで、図２２で前述した匿名バーコード読取処理（Ｓ２２０１）について詳述する。      
【００６０】
図２５は、匿名バーコード読取処理フローを示す図である。まず、バーコード読取装置を用いて、配達先欄の受領者匿名バーコード表示位置から受領者匿名バーコードを読み取る（Ｓ２６０１）。読取完了すると（Ｓ２６０２）、受領者匿名バーコードから変換された受領者匿名コードを取得する（Ｓ２６０３）。そして、終了ステータスを読取完了として終了する（Ｓ２６０４）。読取が中断された場合には、終了ステータスを読取未完として終了する（Ｓ２６０５）。
【００６１】
続いて、図２２で前述した秘匿所在照会処理（Ｓ２２０３）について詳述する。図２６は、秘匿所在照会処理フローを示す図である。秘匿所在管理サーバ００１に、受領者匿名コードに対応する所在の照会要求を送信する（Ｓ２６０１）。具体的には、受領者匿名コードを含む所在照会要求のコマンドを送信する。そして、その照会の結果として、秘匿所在管理サーバ１より回答ステータス、氏名、郵便番号、住所、電話番号を受信する（Ｓ２６０２）。尚、回答ステータスが正常（匿名コード有）の場合には、所在の情報として受領者の氏名、郵便番号、住所、電話番号が返信されるが、回答ステータスがエラー（匿名コード無）の場合には、所在の情報として受領者の氏名、郵便番号、住所、電話番号は返信されない。
【００６２】
続いて、図２２で前述した表書追記処理（Ｓ２２０４）について詳述する。図２７は、表書追記処理フローを示す図である。秘匿所在照会処理で得られた秘匿所在管理サーバ１からの回答ステータス（Ｓ２７０１）が正常（回等ステータス：匿名コード有）の場合には、配達先欄の各所定位置つまり氏名、郵便番号、住所、電話番号の各記入欄に、氏名、郵便番号、住所、電話番号を印字する（Ｓ２７０２）。一方、エラー（回等ステータス：匿名コード無）の場合には、配達先欄の所定位置に、配達先不明の旨と受領者匿名コードを印字する（Ｓ２７０３）。この例では、住所欄に「配達先不明」の表記を印字し、バーコード欄のとなりに受領者匿名コードを印字している。
【００６３】
次に、発送者端末３からの秘匿所在照会要求に応じて、秘匿所在管理サーバ１側で秘匿所在を回答する秘匿所在回答処理について説明する。図２８は、秘匿所在回答処理に係る秘匿所在管理サーバの構成を示す図である。秘匿所在管理サーバ１は、前述した秘匿所在管理テーブル１２０の他、ログインすることが許されているユーザのユーザ名とパスワードを対応付けて記憶しているユーザ管理テーブル１３０、ログイン要求に応じてユーザを認証してログインさせるログイン認証部１４０、所在照会要求を受け付けて匿名コードに対応する所在情報を検索して回答する秘匿所在回答部１５０、ログイン中のユーザをログアウトさせるログアウト部１６０を有している。
【００６４】
順次、ログイン認証部１４０によるログイン認証処理、秘匿所在回答部１５０による秘匿所在回答処理、ログアウト部１６０によるログアウト処理を行う。尚、ログイン認証処理を経ていないユーザつまり、ログイン状態にない端末からの秘匿所在照会要求は、受け付けない。具体的には、秘匿所在回答部１５０においてエラー（回等ステータス：非ログインによる失敗）を返送する。
【００６５】
ログイン認証処理では、ログイン要求の受信待ち状態で、ユーザ端末（この例では、配送経路内端末）からユーザ名とパスワードを含むログイン要求を受信し、ログイン要求に含まれるユーザ名及びパスワードを、ユーザ管理テーブル１３０に登録されているユーザ名及びパスワードと比較する。比較結果が一致する場合には、認証成功を返信し、ログイン状態とする。他方、一致する組がない場合には、認証失敗を返信する。
【００６６】
ログインに続く秘匿所在回答処理について詳述する。図２９は、秘匿所在回答処理フローを示す図である。まず、ログイン状態のユーザ端末から、秘匿所在の照会要求（受領者匿名コードを含む。）を受信する（Ｓ２９０１）。尚、ログイン状態でない端末からの要求は受け付けずに、エラー（回等ステータス：非ログインによる失敗）を返信して終了する。秘匿所在管理テーブル１２０上で、照会要求に含まれていた受領者匿名コードを検索する（Ｓ２９０２）。一致する匿名コードがあった場合には（Ｓ２９０３）、その匿名コードに対応する氏名、郵便番号、住所、電話番号を読み取り（Ｓ２９０４）、回答ステータスを正常（匿名コード有）として、氏名、郵便番号、住所、電話番号を返信する（Ｓ２９０５）。一方、一致する匿名コードがない場合には（Ｓ２９０３）、回答ステータスをエラー（匿名コード無）として、返信する（Ｓ２９０６）。
【００６７】
この例において、匿名コードと、氏名及び住所等の所在情報は、必ず対として同時に登録されるので、匿名コードの有無は、それに対応する氏名や住所等の所在情報の有無と同義と考えることができる。
【００６８】
本実施の形態では、発送者に対して受領者の氏名や住所を開示することなく、受領者の匿名コードのみで発送作業が完了する。実際の氏名や住所は、秘匿所在管理サーバ１から、配送の件毎に配送業者のみに開示される。従って、受領者の所在の秘匿が確保されるようになる。
【００６９】
実施の形態２．
前述の実施の形態では、発送段階で配達先のみをバーコードで記入し、発送元については氏名や住所を直接記入したが、本実施の形態では、発送元もバーコードで記入する形態について説明する。図３０は、実施の形態２に係る匿名配送システムの概要を示す図である。
【００７０】
本実施の形態における概要を説明する。本実施の形態では、発送者も所在を秘密にして、配送物を発送する為に、発送者も匿名コードを用いる。
（１）秘匿所在の登録と匿名コードの発行
秘匿所在管理サーバ１が提供する秘匿所在登録画面を介して、受領者端末２から秘匿所在管理サーバ１に匿名コード、氏名、住所を登録することは（３０−４〜３０−６）、実施の形態１と同様である。但し本実施の形態では、秘匿所在管理サーバ１が提供する秘匿所在登録画面を介して（３０−１）、発送者端末３からも秘匿所在管理サーバ１に匿名コード、氏名、住所を登録する（３０−２、３０−３）。
（２）匿名コードの転送
発送者端末３が提供する配達先指定画面を介して、受領者端末２から発送者端末３に受領者匿名コードを送信する点は（３０−７〜３０−９）、実施の形態１と同様であるが、更に受領者匿名コードを発送者端末３から受領者端末２に通知する（３０−１０）。
（３）送り状の印刷と発送
発送者端末３が、配達先を受領者匿名バーコードで指定するとともに、発送元を発送者匿名バーコードで指定する送り状を印字する（３０−１１）。
（４）秘匿所在の転送と追記
配送経路内端末４では、受領者匿名コードが秘匿所在管理サーバ１に登録されている場合には、送り状に記入された受領者匿名バーコードに対応する氏名と住所を配達先として印字する。受領者匿名コードが登録されていない場合には、発送者匿名バーコードに対応する氏名と住所を発送元に印字する。これにより、配達先不明の配送物が、発送者に返送さされる。
＜（１）秘匿所在の登録と匿名コードの発行＞
発送者端末３から秘匿所在管理サーバ１に匿名コード、氏名、住所を登録するための秘匿所在管理サーバ１の処理は、受領者端末２から登録する場合と同様である。前述した図２〜図５の説明における受領者を発送者に置き換えて実現できる。尚、図６のＳ６０６で秘匿所在管理サーバ１から送信され、発送者端末３で受信した確定匿名コードを後述する発送者匿名コード記憶部３５０に記憶させる。
＜（２）匿名コードの転送＞
受領者に対する発送者匿名コードの通知について説明する。  図３１は、実施の形態２における移送要求受付完了処理に係る発送者端末の構成を示す図である。移送要求受付部３１０の移送要求受付完了部３１３において、移送要求受付完了通知に併せて発送者匿名コードを送信する。発送者匿名コード記憶部３５０は、前述の通り確定した匿名コードとして秘匿所在管理サーバ１から受信した受領者匿名コードを記憶している。
【００７１】
処理としては、図９に示した発送者端末による移送要求受付完了処理（Ｓ９０４）、つまり図１３で詳述した処理のうち、Ｓ１３０２の処理の前に、発送者匿名コード記憶部３５０から発送者匿名コードを読み込み、Ｓ１３０２で移送要求受付完了通知とともに、発送者匿名コードを受領者端末２に送信する。
＜（３）送り状の印刷と発送＞
次に、発送者端末３で配達先を受領者匿名バーコードで指定するとともに、発送元を発送者匿名バーコードで指定する送り状を印字する処理について説明する。図３２は、実施の形態２における配送物表書出力処理に係る発送者端末の構成を示す図である。発送元印字部３３２の動作が、実施の形態１と異なる。この例では、配達先が匿名バーコードで表示される場合には、発送元も匿名バーコードで表示し、配達先が氏名と住所等で表示される場合には、発送元も氏名と住所等で表示するように動作する。これにより、受領者が所在を秘密にする場合に、発送者も同様にその所在を秘密にすることができる。
【００７２】
図３３は、実施の形態２における配送物表書出力処理により印字された送り状の例を示す図である。図に示すように、配達先、発送元ともに匿名バーコードのみが印字されている。
【００７３】
発送元印字部３３２による発送元印字処理について説明する。図３４は、実施の形態２における発送元印字処理フローを示す図である。まず発送管理テーブル３２０から、発送ＩＤに対応する配達先種別を読み取る（Ｓ３４０１）。配達先種別が「直接」である場合には（Ｓ３４０２）、発送元所在記憶部３４０から、発送者の氏名、郵便番号、住所、電話番号を読み取り（Ｓ３４０３）。発送元欄の各所定位置に、読み取った氏名、郵便番号、住所、電話番号を印字する（Ｓ３４０４）。他方、配達先種別が「匿名コード」である場合には（Ｓ３４０２）、発送者匿名コード記憶部３５０から、発送者匿名コードを読み取り（Ｓ３４０５）、読み取った発送者匿名コードをバーコードに変換して、発送元欄の発送者匿名バーコードの表示位置に印字する（Ｓ３４０６）。
＜（４）秘匿所在の転送と追記＞
次に、配送経路内端末４で、受領者匿名コードが秘匿所在管理サーバ１に登録されている場合には、送り状に記入された受領者匿名バーコードに対応する氏名と住所を配達先に印字し、他方、受領者匿名コードが登録されておらず配達先が不明の場合に、発送者匿名バーコードに対応する氏名と住所を発送元に印字する処理について説明する。
【００７４】
図３５は、実施の形態２における匿名バーコード読取処理フローを示す図である。実施の形態１で説明した図２５のＳ２５０１からＳ２５０３に示した受領者匿名バーコードの読み取り処理に続いて、発送者匿名バーコードの読み取り処理を行う。具体的には、バーコード読取装置により発送元欄の発送者匿名バーコードの表示位置から発送者匿名バーコードを読み取る（Ｓ３５０１）。読取を完了すると（Ｓ３５０２）、発送者匿名バーコードを変換して発送者匿名コードを得て（Ｓ３５０３）、終了ステータスを読み取り完了とする。他方、読取を中断した場合には、終了ステータスを読取未完とする。
【００７５】
図３６は、実施の形態２における秘匿所在照会処理フローを示す図である。実施の形態１で説明した図２６のＳ２６０１とＳ２６０２と同様に、秘匿所在管理サーバ００１に、受領者匿名コードを含む所在照会要求を送信し（Ｓ３６０１）、配達先の回答ステータス、氏名、郵便番号、住所、電話番号を受信する（Ｓ３６０２）。それに続いて、更に秘匿所在管理サーバ００１に、発送者匿名コードを含む所在照会要求を送信し（Ｓ３６０３）、発送元の回答ステータス、氏名、郵便番号、住所、電話番号を受信する（Ｓ３６０４）。
【００７６】
図３７は、実施の形態２における表書追記処理フローを示す図である。実施の形態１で説明した図２７の処理に代えて、図３７のように処理する。配達先の受領者匿名コードに対応する所在の照会要求に対する回答ステータスと、発送元の発送者匿名コードに対応する所在の照会要求に対する回答ステータスが、ともに正常（匿名コード有）である場合には（Ｓ３７０１）、配達先欄の各所定位置に、氏名、郵便番号、住所、電話番号を印字し（Ｓ３７０２）、更に発送元欄の発送者匿名コードを表示する位置に、発送者匿名コードを印字する（Ｓ３７０３）。
【００７７】
図３８は、両匿名コードが有った場合に追記された送り状の例を示す図である。このように、照会要求の回答ステータスが正常の場合には、配達先に氏名や住所等が印字され、発送元に匿名コードが印字される。発送元の秘匿を守りつつ、配達先に正常に配送される。受領者は、表示されている発送者匿名コードにより、発送者を識別することができる。
【００７８】
配達先の受領者匿名コードに対応する所在の照会要求に対する回答ステータスがエラー（匿名コード無）であり、発送元の発送者匿名コードに対応する所在の照会要求に対する回答ステータスが正常（匿名コード有）である場合には（Ｓ３７０４）、実施の形態１と同様に配達先欄の所定位置に、配達先不明の旨と受領者匿名コードを印字し（Ｓ３７０５）、更に発送元欄の各所定の表示位置に、氏名、郵便番号、住所、電話番号を印字する（Ｓ３７０６）。
【００７９】
図３９は、受領者匿名コードが無かった場合に追記された送り状の例を示す図である。このように、発送元の氏名と住所等のみを印字することにより、配達先の所在の秘匿を守りつつ、発送元に返送することが可能となる。
【００８０】
配達先の受領者匿名コードに対応する所在の照会要求に対する回答ステータスが正常（匿名コード有）であり、発送元の発送者匿名コードに対応する所在の照会要求に対する回答ステータスがエラー（匿名コード無）である場合には（Ｓ３７０７）、発送元欄の所定位置に、発送元不明の旨と発送者匿名コードを印字する（Ｓ３７０８）。これにより、発送者が不明である配送を中断し、受領者の安全を図ることができる。
【００８１】
配達先の受領者匿名コードに対応する所在の照会要求に対する回答ステータスと、発送元の発送者匿名コードに対応する所在の照会要求に対する回答ステータスが、ともにエラー（匿名コード無）である場合には（Ｓ３７０９）、発送元欄の所定位置に、発送元不明の旨と発送者匿名コードを印字する（Ｓ３７１０）。
【００８２】
上述の例によらず、Ｓ３７０７〜Ｓ３７１０については、エラー処理と位置づけて表書追記処理の対象外としても構わない。
【００８３】
実施の形態３．
この実施の形態では、配送受付端末５で発送者により持ち込まれた配送物の送り状に表示された匿名コードを確認した上で、配送物を受け入れる形態について説明する。発送時の受付用の端末として、配送受付端末を設ける。尚、配送受付端末は、配送経路の発送側端点に位置するので、配送経路内端末４の一種であり、前述の配送経路内端末４としての動作を行うこともできる。まず、実施の形態１に示した配達先にのみバーコードを用いる送り状の態様に対する応用を述べる。
【００８４】
図４０は、配送物表書確認処理に係る配送受付端末の構成を示す図である。配送受付端末５の配送物表書確認部５１０は、実施の形態１の図１９と同様にログイン要求部５１１とログアウト要求部５１３を有している。また、秘匿所在管理サーバ１に対して匿名コードの有無を確認する匿名コード確認部５１２を有している。
【００８５】
この構成により、配送物表書確認処理では、順にログイン要求部５１１によるログイン要求処理、匿名コード確認部５１２による匿名コード確認処理、ログアウト要求部５１３によるログアウト要求処理を行う。
【００８６】
ログイン要求処理とログアウト要求処理は、前述と同様である。ここでは、匿名コード確認処理について詳述する。図４１は、匿名コード確認処理に係る構成を示す図である。
匿名コード確認処理を行う匿名コード確認部５１２は、匿名バーコード読取部５１２ａ、秘匿所在照会部５１２ｂ、及び受付可否判定部５１２ｃを有している。
【００８７】
図４２は、配送受付端末による配送物表書確認処理フローを示す図である。まずログイン要求部５１１により、秘匿所在管理サーバ００１にアクセスし、ログイン要求（ユーザ名とパスワードを含む。）を送信し（Ｓ４２０１）、返信される認証結果を受信する。認証結果が認証失敗の場合には（Ｓ４２０２）、エラー終了する。つまり、認証結果が認証成功の場合のみ処理を続行し、指示の入力を待つ（Ｓ４２０３）。送り状にバーコード読取装置を接することができる状態になったときに、操作者の操作により指示が入力される。匿名コード確認処理の開始指示を受け付けた場合に（Ｓ４２０４）、匿名コード確認部５１２による匿名コード確認処理（Ｓ４２０５）を行う。詳しくは、図４３と図４４を用いて詳述する。匿名コード確認処理（Ｓ４２０５）を終えると、Ｓ４２０３に戻り、匿名コード確認処理の指示を入力する都度、匿名コード確認処理（Ｓ４２０５）を繰り返す。そして、終了指示が入力されると（Ｓ４２０６）、ログアウト要求部４１３より秘匿所在管理サーバ１に、ログアウト要求を送信する（Ｓ４２０７）。ログアウトが完了すると、終了する。
【００８８】
図４３は、匿名コード確認処理フローを示す図である。まず、匿名バーコード読取部５１２ａによる匿名バーコード読取処理（Ｓ４３０１）で、バーコード読取装置を制御して受領者匿名バーコードを読み取り、受領者匿名コードを得る。この処理は、図２５を用いて前述した通りである。そして、終了ステータス（Ｓ４３０２）が読取完了の場合には、秘匿所在を秘匿所在管理サーバ１に問い合わせる秘匿所在照会処理（Ｓ４３０３）と、受信した回答結果に基づいて、受け付けの可否を判定する受付可否判定処理（Ｓ４３０４）を行う。秘匿所在照会処理（Ｓ４３０３）は、図２６を用いて前述した通りである。但し、氏名と住所の有無を確認できれば足りるので、回答ステータスのみを用い、実際の氏名や住所等は不要である。受付可否判定処理（Ｓ４３０４）については、図４４を用いて詳述する。
【００８９】
図４４は、受付可否判定処理フローを示す図である。秘匿所在管理サーバ１からの回答ステータスが正常（匿名コード有）の場合には（Ｓ４４０１）、受付可能の旨を出力する（Ｓ４４０２）。他方エラー（匿名コード無）の場合には（Ｓ４４０１）、受付不能の旨、その理由として配達先不明の旨、受領者匿名コードを出力する（Ｓ４４０３）。これらの出力形態は、表示装置による表示以外に印字装置による印字や通信手段による送信であっても構わない。
【００９０】
これにより、配達先が不明となる配送物を受付の段階で排除することができる。
【００９１】
実施の形態４．
この実施の形態では、実施の形態３と同様に配送受付端末５で発送者により持ち込まれた配送物の送り状に表示された匿名コードを確認した上で、配送物を受け入れる形態を、実施の形態２に示した配達先と発送者の両方にバーコードを表示した送り状を用いる態様に応用する。
【００９２】
匿名バーコード読取部５１２ａによる匿名バーコード読取処理と、秘匿所在照会部５１２ｂによる秘匿所在照会処理は、実施の形態２と同様である。但し、実施の形態３と同様に、受領者と発送者のいずれについても氏名と住所は不要であり、回答ステータスのみを用いる。
【００９３】
実施の形態４における受付可否判定処理（Ｓ４３０４）について詳述する。図４５は、実施の形態４における受付可否判定処理フローを示す図である。配達先の受領者匿名コードに対応する所在の照会要求に対する回答ステータスと、発送元の発送者匿名コードに対応する所在の照会要求に対する回答ステータスが、ともに正常（匿名コード有）である場合には（Ｓ４５０１）、判定結果として受付可能の旨を出力する（Ｓ４５０２）。
【００９４】
配達先の受領者匿名コードに対応する所在の照会要求に対する回答ステータスがエラー（匿名コード無）であり、発送元の発送者匿名コードに対応する所在の照会要求に対する回答ステータスが正常（匿名コード有）である場合には（Ｓ４５０３）、判定結果として受付不能の旨、その理由として配達先不明の旨、受領者匿名コードを出力する（Ｓ４５０４）。
【００９５】
配達先の受領者匿名コードに対応する所在の照会要求に対する回答ステータスが正常（匿名コード有）であり、発送元の発送者匿名コードに対応する所在の照会要求に対する回答ステータスがエラー（匿名コード無）である場合には（Ｓ４５０５）、判定結果として受付不能の旨、その理由として発送元不明の旨、発送者匿名コードを出力する（Ｓ４５０６）。
【００９６】
配達先の受領者匿名コードに対応する所在の照会要求に対する回答ステータスと、発送元の発送者匿名コードに対応する所在の照会要求に対する回答ステータスが、ともにエラー（匿名コード無）である場合には（Ｓ４５０７）、判定結果として受付不能の旨、その理由として配達先不明と発送元不明の旨、発送者匿名コードを出力する（Ｓ４５０８）。
【００９７】
これにより、配達先が不明あるいは発送元が不明の配送物の受け入れを、受付の段階で排除することができる。
【００９８】
実施の形態５．
本実施の形態では、配送受付端末５で配送物を受け付ける際に、正当な発送であることを認証する態様を説明する。本実施の形態は、実施の形態２及び実施の形態４を基礎として、更に発送認証の手段を加える。図４６は、実施の形態５に係る匿名配送システムの概要を示す図である。
【００９９】
本実施の形態における概要を説明する。本実施の形態では、発送自体が適正であるかを確認するために、受領者匿名コード及び発送者匿名コードと組み合せられる発送認証コードを用いる。
（１）発送者のアカウント取得
発送者端末３からの発送者の秘匿所在登録の際に、匿名コードをユーザ名として、パスワードとともに登録して、秘匿所在管理サーバ１におけるアカウント情報（ユーザ名、パスワード）を取得する。これにより、発送者端末３からの秘匿所在管理サーバ１へのログインが可能となる。
（２）発送認証コードの発行
発送者端末３から秘匿所在管理サーバ１にログインし（４６−１〜４６−３）、更に受領者匿名コードを提示して（４６−５）、秘匿所在管理サーバ１から発送認証コードを取得する（４６−６）。秘匿所在管理サーバ１は、配送毎に発送者匿名コードと受領者匿名コードに対応付けて発送認証コードを管理する。
（３）送り状の印刷
発送者端末３では、送り状に受領者匿名バーコードと発送者匿名バーコードのほか、発送認証バーコードも印字する（４６−７）。
（４）配送物の受付
配送受付端末５では、送り状から読み取った配達先匿名バーコードと発送元匿名バーコードと発送認証バーコードの組み合わせによる発送認証を秘匿所在管理サーバ１に要求し、発送認証が成功した場合に配送物を受け付ける（４６−８〜４６−１０）。
＜（１）発送者のアカウント取得＞
図４７は、実施の形態５における秘匿所在登録処理に係る秘匿所在管理サーバの構成を示す図である。秘匿所在登録処理でパスワードもあわせて登録する。その為に、秘匿所在登録部１１０は、秘匿所在登録画面でパスワードも受け付け、受信するように動作する。秘匿所在登録部１１０は、ユーザ管理テーブル１３０にユーザ名として用いる匿名コードとパスワード（アカウント情報）を対応付けて記憶する。これにより、ログインの際のユーザ認証を行う。また、秘匿所在登録部１１０は、登録完了通知に確定した匿名コードのほか、確定したパスワードも返信する。この例によらず、匿名コードとは別にユーザ名を設け、パスワードとともに登録してもよい。
＜（２）発送認証コードの発行、及び（３）送り状の印刷＞
発送者端末３による発送時の配送物表書出力処理について説明する。図４８は、実施の形態５における発送者端末による配送物表書出力処理フローを示す図である。まず発送ＩＤを受け付け（Ｓ４８０１）、順に発送認証コード取得処理（Ｓ４８０２）、発送認証コード印字処理（Ｓ４８０３）、配達先印字処理（Ｓ４８０４）、発送元印字処理（Ｓ４８０５）を行う。
【０１００】
上述の発送認証コード取得処理（Ｓ４８０２）の動作について詳述する。図４９は、発送認証コード取得処理に係る発送者端末の構成を示す図である。配送物表書出力部３３０の要素である発送認証コード取得部３３３は、秘匿所在管理サーバ１にログインするためのログイン要求部３３３ａ、秘匿所在管理サーバ１から発送認証コードを取得するための発送認証コード要求部３３３ｂ、発送認証コードを発送管理テーブル３２０に記憶させる発送認証コード格納部３３３ｃ、及び秘匿所在管理サーバ１からログアウトするためのログアウト要求部３３３ｄを有している。発送管理テーブル３２０は、発送ＩＤに対応付けて発送認証コードも記憶するように構成されている。また、発送者匿名コード記憶部３５０は、発送者匿名コード（ユーザ名を兼ねる。）に対応付けてログイン用のパスワード（前述の秘匿所在登録で受信した確定パスワード）も記憶している。
【０１０１】
図４９の構成による発送認証コード取得処理について説明する。図５０は、発送認証コード取得処理フローを示す図である。まず、発送者匿名コードとパスワードを発送者匿名コード記憶部３５０から読み取り、秘匿所在管理サーバ００１に、ユーザ名（発送者匿名コード）とパスワードと共に、ログイン要求を送信する（Ｓ５００１）。認証結果が成功の場合には（Ｓ５００２）、発送認証コード要求部３３３ｂによる発送認証コード要求処理（Ｓ５００３）を行う。具体的には、当該発送ＩＤに対応する受領者匿名コードを発送管理テーブル３２０から取得し、秘匿所在管理サーバ００１に、発送認証コード発行依頼（受領者匿名コードを含む。）を送信し、返信として発送認証コードを受信する。次に、発送認証コード格納部３３３ｃによる発送認証コード格納処理（Ｓ５００４）を行う。具体的には、発送ＩＤに対応付けて、受信した発送認証コードを発送管理テーブル３２０に記憶させる。そして、ログアウト要求部３３３ｄから、秘匿所在管理サーバ００１にログアウト要求を送信して終了する（Ｓ５００５）。
【０１０２】
図５１は、実施の形態５における発送管理テーブルの例を示す図である。図に示す通り、配送毎に設けられたレコードに、配送認証コードの項目が加えられている。これにより、発送ＩＤに対応付けて、発送認証コードを記憶することができる。
【０１０３】
続いて、発送者端末３で、送り状に配達先匿名バーコードと発送元匿名バーコードの他、発送認証バーコードも印字する動作について説明する。図５２は、実施の形態５における配送物表書出力処理に係る発送者端末の構成を示す図である。本実施の形態では、配送物表書出力部３３０に発送認証コード印字部３３４が加えられている。発送認証コード印字部３３４は、発送ＩＤに対応する発送認証コードをバーコードに変換して印字するように構成されている。
【０１０４】
処理としては、図４８に示す発送認証コード印字処理（Ｓ４８０２）で、発送管理テーブル３２０から、発送ＩＤに対応する発送認証コードを読み取り、読み取った発送認証コードをバーコードに変換して、配達先欄の発送認証バーコードの記入位置に印字する。
【０１０５】
図５３は、実施の形態５における配送物表書出力処理により印字された送り状の例を示す図である。本実施の形態では、発送認証バーコードに送り状に印字する。
【０１０６】
発送者端末３からの要求に応じて発送認証コードを発行する秘匿所在管理サーバ１側の動作について説明する。図５４は、発送認証コード発行処理に係る秘匿所在管理サーバの構成を示す図である。前述と同様のユーザ管理テーブル１３０、ログイン認証部１４０、ログアウト部１６０の他、発送認証コード発行部１７０と発送認証コードテーブル１８０を有している。発送認証コード発行部１７０は、発送者端末３から発送認証コード発行依頼を受信し、発送認証コードを生成し、発送者端末３に返信するとともに、発送認証コードテーブル１８０に記憶させるように構成されている。
【０１０７】
処理としては、まずログイン認証部１４０によるログイン認証処理で発送者匿名コード（ユーザ名として用いられる。）とパスワードを含むログイン要求を受信し、ユーザ管理テーブル１３０にユーザ名とパスワードの組み合せで一致するものがあるか判定し、一致する組が有る場合にログイン成功として、ログイン状態とする。
【０１０８】
次に、発送認証コード発行部１７０による発送認証コード発行処理を行なう。図５５は、発送認証コード発行処理フローを示す図である。ログイン状態の発送者端末から、発送認証コード発行依頼（受領者匿名コードを含む。）を受信する（Ｓ５５０１）。そして、発送認証コードを生成する（Ｓ５５０２）。発送認証コードの生成方法は、生成の都度別なコードが割り当てられる方法であればどのような方法であっても有効であるが、出来るだけ第三者が推測し難い方法が望ましい。例えば、乱数発生方法により生成する。そして、ログイン認証部１４０から、ユーザ名として受け付けた発送者匿名コードを取得する（Ｓ５５０３）。この例では、ログイン認証部１４０から発送者匿名コード取得しているが、発送認証コード発行依頼に含めて転送すること方法でも構わない。そして、発送者匿名コードと、受領者匿名コードと、発送認証コードを対応付けて、発送認証コードテーブル１８０に記憶させ（Ｓ５５０４）、発送認証コードを発送者端末３に返信する（Ｓ５５０５）。
【０１０９】
そして、ログアウト部１６０によるログアウト処理により、ログアウト要求を受信すると、発送者端末のログイン状態を解除して終了する。
＜（４）配送物の受付＞
配送受付端末５における配送物の受付における動作について説明する。送り状から読み取った配達先匿名バーコードと発送元匿名バーコードと発送認証バーコードの組み合わせによる認証を秘匿所在管理サーバ１に要求し、認証が成功した場合に配達先を特定する。
【０１１０】
図５６は、実施の形態５における匿名コード確認処理に係る発送受付端末の構成を示す図である。匿名コード確認部５１２は、発送認証バーコードを含めて読み取る匿名バーコード読取部５１２ａ、前述と同様の秘匿所在照会部５１２ｂ、秘匿所在照会と発送認証の回答に応じて受付可否を判定する受付可否判定部５１２ｃ、及び秘匿所在管理サーバ１に配達先匿名コードと発送元匿名コードと発送認証コードを送り発送認証を要求する発送認証要求部５１２ｄを有している。
【０１１１】
これらの匿名コード確認部５１２の構成による匿名コード確認処理について詳述する。図５７は、実施の形態５における匿名コード確認処理フローを示す図である。
【０１１２】
匿名バーコード読取部５１２ａによる匿名バーコード読取処理（Ｓ５７０１）では、図３５のＳ３５０３に示した発送者匿名バーコードの読み取り処理に続いて、発送認証バーコードの読み取り処理を行なう。具体的には、バーコード読取装置により発送元欄の発送認証バーコードの記入位置から発送認証バーコードを読み取る。読取完了を完了すると、発送認証バーコードを変換して発送認証コードを得て、終了ステータスを読取完了とする。他方、読取を中断した場合には、終了ステータスを読取未完とする。
【０１１３】
終了ステータスが読取完了の場合には（Ｓ５７０２）、前述した図３６と同様に秘匿所在照会部５１２ｂによる秘匿所在照会処理（Ｓ５７０３）を行う。次に受付可否判定部５１２ｃによる発送認証要求処理（Ｓ５７０４）を行う。配達先匿名コードと発送元匿名コードと発送認証コードを含む発送認証要求を秘匿所在管理サーバ１に送信し、返信される回答ステータスを受信する。
【０１１４】
発送認証要求部５１２ｄによる受付可否判定処理（Ｓ５７０５）について詳述する。図５８は、実施の形態５における受付可否判定処理フローを示す図である。発送認証要求に対する回答ステースが認証成功の場合には（Ｓ５８０１）、受付可能の旨を出力する（Ｓ５８０２）。発送認証コードの発行の前提として、受領者認証コードと発送者匿名コードが登録されていることが担保されているので、当該回答ステースが認証成功の場合は、受領者匿名コードに対する所在の照会要求の回答と、受領者匿名コードに対する所在の照会要求の回答は、暗に認証成功として処理している。但し、これらの回答についても認証成功であるか判定し、両者が認証成功である場合に受付可能と判定しても構わない。
【０１１５】
他方、発送認証要求に対する回答ステースが認証失敗の場合には（Ｓ５８０１）、配達先と発送元の匿名コードに対する所在の照会要求の回答に応じて、表示内容を決定する。
【０１１６】
配達先の受領者匿名コードに対応する所在の照会要求に対する回答ステータスと発送元の発送者匿名コードに対応する所在の照会要求に対する回答ステータスがともに、正常（匿名コード有）である場合には（Ｓ５８０３）、受付不能の旨、その理由として認証失敗の旨、受領者匿名コードを出力する（Ｓ５８０４）。
【０１１７】
配達先の受領者匿名コードに対応する所在の照会要求に対する回答ステータスがエラー（匿名コード無）であり、発送元の発送者匿名コードに対応する所在の照会要求に対する回答ステータスが正常（匿名コード有）である場合には（Ｓ５８０５）、受付不能の旨、その理由として認証失敗と配達先不明の旨、受領者匿名コードを出力する（Ｓ５８０６）。
【０１１８】
配達先の受領者匿名コードに対応する所在の照会要求に対する回答ステータスが正常（匿名コード有）であり、発送元の発送者匿名コードに対応する所在の照会要求に対する回答ステータスがエラー（匿名コード無）である場合には（Ｓ５８０７）、受付不能の旨、その理由として認証失敗と発送元不明、発送者匿名コードを出力する（Ｓ５８０８）。
【０１１９】
配達先の受領者匿名コードに対応する所在の照会要求に対する回答ステータスと発送元の発送者匿名コードに対応する所在の照会要求に対する回答ステータスがともに、エラー（匿名コード無））である場合には（Ｓ５８０９）、受付不能の旨、その理由として認証失敗と配達先不明と発送元不明の旨、発送者匿名コードを表示する（Ｓ５８１０）。
【０１２０】
最後に、発送認証要求に対する秘匿所在管理サーバ１側の動作について説明する。図５９は、発送認証回答処理に係る秘匿所在管理サーバの構成を示す図である。発送認証回答部１９０は、発送認証コードテーブル１８０に基づいて発送の適正を判定して回答するように構成されている。
【０１２１】
実施の形態２で説明したログイン認証部１４０によるログイン認証、秘匿所在回答部１５０による秘匿所在回答処理に続いて、発送認証回答部１９０による発送認証回答処理を行なう。そして、ログアウト部１６０によるログアウト処理を行なって終了する。
【０１２２】
発送認証回答部１９０の発送認証回答処理について詳述する。図６０は、発送認証回答処理フローを示す図である。ログイン状態のユーザ端末（配送受付端末５）から、発送認証要求（受領者匿名コード、発送者匿名コード、発送認証コードを含む。）を受信し（Ｓ６００１）、発送認証コードテーブル１８０上で、受領者匿名コードと発送者匿名コードの組を検索する（Ｓ６００２）。一致する組がない場合には（Ｓ６００３）、回答ステータスを認証成功（発送認証コード不設定）として、返信する（Ｓ６００４）。他方、一致する組がある場合には（Ｓ６００３）、受信した発送認証コードを、当該組に対応する発送認証コードと比較する（Ｓ６００５）。一致しない場合には（Ｓ６００６）、回答ステータスを認証失敗（発送認証コード不一致）として返信し（Ｓ６００７）、一致する場合には、回答ステータスを認証成功（発送認証コード一致）として返信する（Ｓ６００８）。
【０１２３】
上述のように、発送毎に発送認証コードを設定し、個別に認証する。
【０１２４】
実施の形態６．
実施の形態５では、配送物毎に認証する個別認証について説明したが、本実施の形態では、複数の配送物を一括して認証する一括認証について説明する。その為に、発送認証コードに有効期限を設ける。以下、実施の形態５と相違する点について説明する。
【０１２５】
図６１は、実施の形態６における発送認証コード取得処理に係る発送者端末の構成を示す図である。発送認証コード要求部３３３ｂによる発送認証コード要求処理において、有効期限を受け付け、有効期限を指定した発送認証コード発行依頼を送信し、発送認証コードを取得する。発送認証コード格納部３３３ｃによる発送認証コード格納処理において、発送認証コードと有効期限を対応付けて発送認証コード記憶部３６０に記憶させる。
【０１２６】
図６２は、実施の形態６における配送物表書出力処理に係る発送者端末の構成を示す図である。発送認証コード印字部３３４による発送認証コード印字処理では、発送認証コード記憶部３６０から発送認証コードを読み取り、バーコード変換し、発送認証バーコードとして印字する。その際、有効期限内であることをチェックし、有効期限を過ぎている場合には、警告を出力するようにすることも有効である。
【０１２７】
図６３は、実施の形態６における発送認証コード発行処理に係る秘匿所在管理サーバの構成を示す図である。図６４は、発送認証コード発行処理フローを示す図である。発送認証コード発行部１７０による発送認証コード発行処理において、有効期限を含む発送認証コード発行依頼を受信し（Ｓ６４０１）、発送者匿名コードと有効期限と発送認証コードを対応付けて発送認証コードテーブルに記憶させる（Ｓ６４０４）。
【０１２８】
図６５は、実施の形態６における匿名コード確認処理に係る発送受付端末の構成を示す図である。発送認証要求部５１２ｂによる発送認証要求処理において、発送者匿名コードと発送認証コードを含む発送認証要求を送信する。
【０１２９】
図６６は、実施の形態６における受付可否判定処理フローを示す図である。受付可否判定部５１２ｃによる受付可否判定処理において、発送認証の回答ステータスが認証成功の場合には（Ｓ６６０１）、更に配達先の回答を判定し（Ｓ６６０２）、正常の場合には受付可能の旨を出力し（Ｓ６６０３）、匿名コード無の場合には、受付不能の旨、その理由として発送先不明、受領者匿名コードを出力する（Ｓ６６０４）。
【０１３０】
図６７は、発送認証回答処理に係る秘匿所在管理サーバの構成を示す図である。図６８は、発送認証回答処理フローを示す図である。発送認証回答部１９０による発送認証回答処理においては、発送者匿名コードと発送認証コードを含む発送認証要求を受信し（Ｓ６８０１）、発送認証コードテーブル１８０に発送者匿名コードがあった場合に、有効期限内か判定し、有効期限外の場合には、回答ステータスを認証失敗（有効期限切れ）として、返信する。
【０１３１】
上述の構成により、発送認証コードが有効期限を越えている場合には、認証失敗として扱うことになる。有効期限内の場合には、異なる受領者に対する発送においても同じ発送認証コードを繰り返し用い、一括して証明する。
【０１３２】
実施の形態７．
上述の配送受付端末は、全自動の郵便ポスト型受付システムとすることが有効である。
図６９は、郵便ポスト型受付システムの外観を示す図である。６９００は、秘匿配送物投入口であり、６９０５は、一般配送物の投入口である。秘匿投入口６９００には、シャッタが設けられており、通常の状態では、配送物を投入することができない。６９０１は、液晶を用いた表示部であり、投入者に対して操作の案内や受付状況などを表示して知らせる。６９０２は、光学的情報媒体読取口であり、背後に光学的情報媒体読取装置が設置されている。また、この光学的情報媒体読取装置には、ＲＦタグの読取り機能が具備されており、ＲＦタグを読取る機能を併せ持っていてもよい。これらは、バーコードや二次元コードを読取可能であり、配送物に印字もしくは貼付されているバーコードまたは二次元コードを読み取る。６９０３は、受領証プリンタであり、投入された配送物について、受付システムの名称、日時、配送物の特定番号を印字する。
【０１３３】
図７０は、郵便ポスト型受付システムのブロックを示す図である。７００３は、秘匿投入口６９００のシャッタの開閉部であり、７００４は、配送物を検出するセンサーであり、投入が完了すると、投入口開閉部７００３を閉じる。７００６は、受付システムとネットワークを接続する通信部、７０１０は、投入者に対する案内やバーコードなどを読み取ったときに、『ピッ』と音をさせて投入者に読取りが完了したことを知らせる。
【０１３４】
本実施の形態に係る郵便ポスト型受付システムは、全自動であるので無人で応対できる。
【０１３５】
上述の実施例では、受領者端末３から発送者端末４へ受領者匿名コードを、配達先指定画面を介して通知したが、メール、文書、口頭など別の手段により通知することもできる。
【０１３６】
上述の例では、セキュリティ確保のため、ログインした状態で照会や回答の処理を行なったが、第三者がアクセスできない通信条件であれば、ログインとログアウトに係る手順は省略することができる。
【０１３７】
上述の配送受付端末５は、配送経路内端末４として表書補完の処理を行なうこともできるが、配送受付端末５と別に配送経路内端末４を設けて、受付行為の後に別の配送経路内端末４で表書補完の処理を行なうようにしてもよい。
【０１３８】
上述のバーコードは、読取装置による読取が可能なコード情報を記録した情報媒体であるコード記録体の一態様である。二次元コード（ＱＲコード等）やコードを記録したＲＦタグなどもコード記録体の例である。従って、上述の例における匿名バーコードは、匿名コード記録体の例であり、匿名二次元コードや、ＲＦタグに記録した匿名コード（ＲＦタグ記録匿名コード）等に置き換えることができる。読取装置としては、二次元コード読取装置やＲＦタグ読取装置が用いられる。書込装置としては、印字装置やＲＦタグ書込装置が用いられる。ＲＦタグ記録コードの場合、所定位置に対するバーコードの印字に代えて、ＲＦタグの所定記憶領域へのコードの書込みを行う。また、所定位置からのバーコードの読取りに代えて、ＲＦタグの所定記憶領域からのコードの読取りを行う。受領者匿名コードと発送者匿名コードと発送認証コードは、共通のＲＦタグに記憶させることができる。その場合、それぞれの所定領域に書込み、所定領域から読み込むことになる。
【０１３９】
送り状は、配送物の表書媒体の一態様である。封書や葉書など郵便物では、配達先や発送元の各記入事項が配送物の表面に直接印字され、表示される。また、送り状や配送物の表面に印字する他、送り状や配送物に貼り付けるためのシールへの印字も表書印字の一態様である。つまり、発送者端末３や配送経路内端末４における表書としての印字は、配送物に直接印字する他、印字後に表書として付することを前提として別媒体に印字する形態も含まれる。
【０１４０】
ＲＦタグを用いる場合、配送物に既に付されているＲＦタグへの書込の他、後で付されることを前提としたＲＦタグへの書込も、バーコード印字で例示したコード記録体書込の態様の一種である。
【０１４１】
表書として印字する宛先となる所在情報としては、少なくとも氏名と住所を含む。郵便業者による配送の場合には、更に郵便番号を加えることが有効である。輸送業者による配送の場合には、電話番号を加えることが有効である。また、問い合わせの利便を考慮するとメールアドレスを加えることも考えられる。
【０１４２】
所在情報の登録において、更に追加の個人情報として、個人や会社の区分、生年月日、現住所の他に前住所、ＰＣ及び携帯電話のメールアドレス、運転免許証番号、パスポート番号、各種免許に係る情報、所持品に係る情報、バイオデータ（例えば、指紋データ）、資産に係る情報等を登録してもよい。
【０１４３】
秘匿所在管理サーバ１、受領者端末２、発送者端末３、配送経路内端末４、及び配送受付端末５は、コンピュータであり、各要素はプログラムにより処理を実行することができる。また、プログラムを記憶媒体に記憶させ、記憶媒体からコンピュータに読み取られるようにすることができる。
【図面の簡単な説明】
【０１４４】
【図１】実施の形態１に係る匿名配送システムの概要を示す図である。
【図２】秘匿所在登録処理に関する秘匿所在管理サーバの構成を示す図である。
【図３】秘匿所在登録画面の例を示す図である。
【図４】秘匿所在管理テーブルの例を示す図である。
【図５】秘匿所在管理サーバによる秘匿所在登録処理フロー（例１）を示す図である。
【図６】秘匿所在管理サーバによる秘匿所在登録処理フロー（例２）を示す図である。
【図７】移送要求受付処理に関する発送者端末の構成を示す図である。
【図８】発送管理テーブルの例を示す図である。
【図９】配送者端末による移送要求受付処理フローを示す図である。
【図１０】移送品選択受付処理フローを示す図である。
【図１１】配達先指定受付処理フローを示す図である。
【図１２】配達先指定画面の例を示す図である。
【図１３】移送要求受付完了処理フローを示す図である。
【図１４】配送物表書出力処理に関する発送者端末の構成を示す図である。
【図１５】配送物表書出力処理により印字された送り状の例を示す図である。
【図１６】発送者端末による配送物表書出力処理フローを示す図である。
【図１７】配達先印字処理フローを示す図である。
【図１８】発送元印字処理フローを示す図である。
【図１９】配送物表書補完処理に係る配送経路内端末の構成を示す図である。
【図２０】配送経路内端末による配送物表書補完処理フローを示す図である。
【図２１】匿名コード変換部の構成を示す図である。
【図２２】匿名コード変換処理フローを示す図である。
【図２３】受領者匿名コードが有った場合に追記された送り状の例を示す図である。
【図２４】受領者匿名コードが無かった場合に追記された送り状の例を示す図である。
【図２５】匿名バーコード読取処理フローを示す図である。
【図２６】秘匿所在照会処理フローを示す図である。
【図２７】表書追記処理フローを示す図である。
【図２８】秘匿所在回答処理に係る秘匿所在管理サーバの構成を示す図である。
【図２９】秘匿所在回答処理フローを示す図である。
【図３０】実施の形態２に係る匿名配送システムの概要を示す図である。
【図３１】実施の形態２における移送要求受付完了処理に係る発送者端末の構成を示す図である。
【図３２】実施の形態２における配送物表書出力処理に係る発送者端末の構成を示す図である。
【図３３】実施の形態２における配送物表書出力処理により印字された送り状の例を示す図である。
【図３４】実施の形態２における発送元印字処理フローを示す図である。
【図３５】実施の形態２における匿名バーコード読取処理フローを示す図である。
【図３６】実施の形態２における秘匿所在照会処理フローを示す図である。
【図３７】実施の形態２における表書追記処理フローを示す図である。
【図３８】両匿名コードが有った場合に追記された送り状の例を示す図である。
【図３９】受領者匿名コードが無かった場合に追記された送り状の例を示す図である。
【図４０】配送物表書確認処理に係る配送受付端末の構成を示す図である。
【図４１】匿名コード確認処理に係る構成を示す図である。
【図４２】配送受付端末による配送物表書確認処理フローを示す図である。
【図４３】匿名コード確認処理フローを示す図である。
【図４４】受付可否判定処理フローを示す図である。
【図４５】実施の形態４における受付可否判定処理フローを示す図である。
【図４６】実施の形態５に係る匿名配送システムの概要を示す図である。
【図４７】実施の形態５における秘匿所在登録処理に係る秘匿所在管理サーバの構成を示す図である。
【図４８】実施の形態５における発送者端末による配送物表書出力処理フローを示す図である。
【図４９】発送認証コード取得処理に係る発送者端末の構成を示す図である。
【図５０】発送認証コード取得処理フローを示す図である。
【図５１】実施の形態５における発送管理テーブルの例を示す図である。
【図５２】実施の形態５における配送物表書出力処理に係る発送者端末の構成を示す図である。
【図５３】実施の形態５における配送物表書出力処理により印字された送り状の例を示す図である。
【図５４】発送認証コード発行処理に係る秘匿所在管理サーバの構成を示す図である。
【図５５】発送認証コード発行処理フローを示す図である。
【図５６】実施の形態５における匿名コード確認処理に係る発送受付端末の構成を示す図である。
【図５７】実施の形態５における匿名コード確認処理フローを示す図である。
【図５８】実施の形態５における受付可否判定処理フローを示す図である。
【図５９】発送認証回答処理に係る秘匿所在管理サーバの構成を示す図である。
【図６０】発送認証回答処理フローを示す図である。
【図６１】実施の形態６における発送認証コード取得処理に係る発送者端末の構成を示す図である。
【図６２】実施の形態６における配送物表書出力処理に係る発送者端末の構成を示す図である。
【図６３】実施の形態６における発送認証コード発行処理に係る秘匿所在管理サーバの構成を示す図である。
【図６４】発送認証コード発行処理フローを示す図である。
【図６５】実施の形態６における匿名コード確認処理に係る発送受付端末の構成を示す図である。
【図６６】実施の形態６における受付可否判定処理フローを示す図である。
【図６７】発送認証回答処理に係る秘匿所在管理サーバの構成を示す図である。
【図６８】発送認証回答処理フローを示す図である。
【図６９】郵便ポスト型受付システムの外観を示す図である。
【図７０】郵便ポスト型受付システムのブロックを示す図である。
【符号の説明】
【０１４５】
１  秘匿所在管理サーバ、２  受領者端末、３  発送者端末、４  配送経路内端末、５  配送受付端末、１１０  秘匿所在登録部、１２０  秘匿所在管理テーブル、１３０  ユーザ管理テーブル、１４０  ログイン認証部、１５０  秘匿所在回答部、１６０  ログアウト部、１７０  発送認証コード発行部、１８０  発送認証コードテーブル、１９０  発送認証回答部、３１０  移送要求受付部、３１１  移送品選択受付部、３１２  配達先指定受付部、３１３  移送要求受付完了部、３２０  発送管理テーブル、３３０  配送物表書出力部、３３１  配達先印字部、３３２  発送元印字部、３３３  発送認証コード取得部、３３３ａ  ログイン要求部、３３３ｂ  発送認証コード要求部、３３３ｃ  発送認証コード格納部、３３３ｄ  ログアウト要求部、３３４  発送認証コード印字部、３４０  発送元所在記憶部、３５０  発送者匿名コード記憶部、３６０  発送認証コード記憶部、４１０  配送物表書補完部、４１１  ログイン要求部、４１２  匿名コード変換部、４１２ａ  匿名バーコード読取部、４１２ｂ  秘匿所在照会部、４１２ｃ  表書追記部、４１３  ログアウト要求部、５１０  配送物表書確認部、５１１  ログイン要求部、５１２  匿名コード確認部、５１２ａ  匿名バーコード読取部、５１２ｂ  秘匿所在照会部、５１２ｃ  受付可否判定部、５１２ｄ  発送認証要求部、５１３  ログアウト要求部  ６９００  秘匿投入口、６９０１  表示部、６９０２  光学的情報媒体読取口、６９０３  受領書プリンター、６９０４  ラベルプリンター、６９０５  通常投入口、７００１  光学的情報読取部、７００２  印字部、７００３  投入口開閉部、７００４  投入センサー部、７００５  証明部、７００６  通信部、７００７  制御部、７００８  電源部、７００９  表示部、７０１０  音発生部。
【図１】
2010140217.tif 000003
【図２】
2010140217.tif 000004
【図３】
2010140217.tif 000005
【図４】
2010140217.tif 000006
【図５】
2010140217.tif 000007
【図６】
2010140217.tif 000008
【図７】
2010140217.tif 000009
【図８】
2010140217.tif 000010
【図９】
2010140217.tif 000011
【図１０】
2010140217.tif 000012
【図１１】
2010140217.tif 000013
【図１２】
2010140217.tif 000014
【図１３】
2010140217.tif 000015
【図１４】
2010140217.tif 000016
【図１５】
2010140217.tif 000017
【図１６】
2010140217.tif 000018
【図１７】
2010140217.tif 000019
【図１８】
2010140217.tif 000020
【図１９】
2010140217.tif 000021
【図２０】
2010140217.tif 000022
【図２１】
2010140217.tif 000023
【図２２】
2010140217.tif 000024
【図２３】
2010140217.tif 000025
【図２４】
2010140217.tif 000026
【図２５】
2010140217.tif 000027
【図２６】
2010140217.tif 000028
【図２７】
2010140217.tif 000029
【図２８】
2010140217.tif 000030
【図２９】
2010140217.tif 000031
【図３０】
2010140217.tif 000032
【図３１】
2010140217.tif 000033
【図３２】
2010140217.tif 000034
【図３３】
2010140217.tif 000035
【図３４】
2010140217.tif 000036
【図３５】
2010140217.tif 000037
【図３６】
2010140217.tif 000038
【図３７】
2010140217.tif 000039
【図３８】
2010140217.tif 000040
【図３９】
2010140217.tif 000041
【図４０】
2010140217.tif 000042
【図４１】
2010140217.tif 000043
【図４２】
2010140217.tif 000044
【図４３】
2010140217.tif 000045
【図４４】
2010140217.tif 000046
【図４５】
2010140217.tif 000047
【図４６】
2010140217.tif 000048
【図４７】
2010140217.tif 000049
【図４８】
2010140217.tif 000050
【図４９】
2010140217.tif 000051
【図５０】
2010140217.tif 000052
【図５１】
2010140217.tif 000053
【図５２】
2010140217.tif 000054
【図５３】
2010140217.tif 000055
【図５４】
2010140217.tif 000056
【図５５】
2010140217.tif 000057
【図５６】
2010140217.tif 000058
【図５７】
2010140217.tif 000059
【図５８】
2010140217.tif 000060
【図５９】
2010140217.tif 000061
【図６０】
2010140217.tif 000062
【図６１】
2010140217.tif 000063
【図６２】
2010140217.tif 000064
【図６３】
2010140217.tif 000065
【図６４】
2010140217.tif 000066
【図６５】
2010140217.tif 000067
【図６６】
2010140217.tif 000068
【図６７】
2010140217.tif 000069
【図６８】
2010140217.tif 000070
【図６９】
2010140217.tif 000071
【図７０】
2010140217.tif 000072